(57)【要約】  本発明は、Pcaの新たな判定方法及びその悪性度の判定方法を提供することを目的とし、「生体由来試料中の遊離型前立腺特異抗原量に対する糖鎖の末端シアル酸慚愧が糖鎖の末端から２番目のガラクトース残基にα(2, 3)結合した糖鎖を有する遊離型PSA量の比率を測定し、その比率が40％より高い場合に前立腺癌であるかその蓋然性が高いと判定する、前立腺癌の判定方法。」に関する発明である。【特許請求の範囲】
【請求項１】
生体由来試料中の遊離型前立腺特異抗原（以下、前立腺特異抗原を「PSA」と記載する。）量に対する糖鎖の末端シアル酸残基が糖鎖の末端から２番目のガラクトース残基にα(2, 3)結合した糖鎖を有する遊離型PSA（以下、「α(2, 3)糖鎖遊離型PSA」と記載する。）量の比率を決定し、その比率が40％又はそれより高い場合に前立腺癌であるかその蓋然性が高いと判定する、前立腺癌の判定方法。
【請求項２】
生体由来試料中の遊離型PSA量及びα(2, 3)糖鎖遊離型PSA量を測定し、得られた遊離型PSA量に対するα(2, 3)糖鎖遊離型PSA量の比率を決定し、その比率が40％又はそれより高い場合に前立腺癌であるかその蓋然性が高いと判定する、請求項１に記載の判定方法。
【請求項３】
生体由来試料中のトータルPSA値が0を超える値〜50 ng/mLである、請求項１又は２に記載の方法。
【請求項４】
生体由来試料中のトータルPSA値が4〜10ng/mLである、請求項１又は２に記載の方法。
【請求項５】
α(2, 3)糖鎖遊離型PSA量を測定する方法が、α(2, 3)糖鎖遊離型PSAの糖鎖の末端シアル酸残基が糖鎖の末端から２番目のガラクトース残基にα(2, 3)結合した糖鎖と、糖鎖の末端シアル酸残基が糖鎖の末端から２番目のガラクトース残基にα(2, 3)結合した糖鎖に親和性を有する物質（以下、「アフィニティ−物質」と記載する。）との相互作用を利用して測定する方法である、請求項２に記載の方法。
【請求項６】
α(2, 3)糖鎖遊離型PSAの糖鎖の末端シアル酸残基が糖鎖の末端から２番目のガラクトース残基にα(2, 3)結合した糖鎖と、アフィニティ−物質との相互作用を利用して測定する方法が、 α(2, 3)糖鎖遊離型PSAの糖鎖の末端シアル酸残基が糖鎖の末端から２番目のガラクトース残基にα(2, 3)結合した糖鎖と該アフィニティ−物質との相互作用によりα(2, 3)糖鎖遊離型PSAと該アフィニティー物質との複合体を生成させた後、該複合体の量を測定し、その結果に基づいてα(2, 3)糖鎖遊離型PSA量を決定する方法である、請求項５に記載の方法。
【請求項７】
α(2, 3)糖鎖遊離型PSAの糖鎖の末端シアル酸残基が糖鎖の末端から２番目のガラクトース残基にα(2, 3)結合した糖鎖と、アフィニティ−物質との相互作用を利用して測定する方法が、α(2, 3)糖鎖遊離型PSAの糖鎖の末端シアル酸残基が糖鎖の末端から２番目のガラクトース残基にα(2, 3)結合した糖鎖と該アフィニティ−物質との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量を決定する方法である、請求項５に記載の方法。
【請求項８】
α(2, 3)糖鎖遊離型PSA量を測定する方法が、α(2, 3)糖鎖遊離型PSAの捕捉効率が80%以上の測定方法である、請求項１，２又は５に記載の方法。
【請求項９】
アフィニティー物質がレクチンである、請求項５に記載の方法。
【請求項１０】
レクチンが、糖鎖の末端シアル酸残基が糖鎖の末端から２番目のガラクトース残基にα(2, 3)結合した糖鎖に親和性を有するレクチンである、請求項９に記載の方法。
【請求項１１】
レクチンがイヌエンジュレクチン（MAA）である、請求項９に記載の方法。
【請求項１２】
遊離型PSA量に対するα(2, 3)糖鎖遊離型PSA量の比率が40％又はそれより高い場合に前立腺癌であるかその蓋然性が高いと判定し、該比率が47％又はそれより高い場合に前立腺癌の悪性度が高い蓋然性が高いと判定する、請求項１又は２に記載の方法。
【請求項１３】
α(2, 3)糖鎖遊離型PSA量を測定する方法が、キャピラリー電気泳動法、ビアコア法、質量分析法、又はレクチンマイクロアレイ法である、請求項２に記載の方法。
【発明の詳細な説明】
【技術分野】
【０００１】
本発明は、前立腺癌及びその悪性度の新規な判定方法に関する。
【背景技術】
【０００２】
前立腺癌(prostate carcinoma：以下「Pca」と略記する。)は、欧米諸国の男性において最も罹患率が高い癌であったが、近年我が国においても急増傾向が続き、2015年には日本人男性でも最も罹患率の高い悪性腫瘍になったと推測されている。【０００３】
前立腺特異抗原(prostate specific antigen：以下「PSA」と略記する。)は、前立腺で産生される、前立腺に特異的な糖タンパクの一種である。Pcaに罹患すると血液中のPSA値が高くなることから、PSA値は、Pcaを判定するための最も重要な腫瘍マーカーとして認識されている(非特許文献１)。【０００４】
PSAは、血液中では大部分がα１-アンチキモトリプシンやα2-マクログロブリンなどの結合タンパク質と結合して複合体を形成した結合型PSAとして存在する（以下、「結合型PSA」と略記する。）。また、一部のPSAは複合体を形成していない遊離型として存在する(以下、「遊離型PSA」と略記する。)。【０００５】
現在広く行われている血清PSA検査では、この遊離型PSAと結合型PSAを区別せずに、PSAの総量（すなわち、遊離型PSAと結合型PSAの合計の量、以下、「トータルPSA値」と略記する。)を測定する。トータルPSA値の基準値(正常値)は4 ng/mL未満である。前立腺に何らかの疾患があるとトータルPSA値は上昇する。トータルPSA値が10〜20 ng/mLの場合は40%程度、20 ng/mL以上の場合には50%以上の患者にPcaが発見されるといわれている。【０００６】
トータルPSA値が正常値よりも高いが、上記の高値よりも低い中間の4.1〜10 ng/mLの範囲は、所謂グレーゾーン(gray zone)と呼ばれている (非特許文献２)。このグレーゾーンのトータルPSA値を示す患者に癌が発見される確立は約25〜30%であると言われている。例えば、前立腺肥大症(benign prostatic hyperplasia：以下「BPH」と略記する。)や前立腺炎等の、他の前立腺の病気がある場合にも、しばしばトータルPSA値が高値になることが知られている。すなわち、トータルPSA値が正常値よりも高値だったとしても必ずしもPcaに罹患しているとは限らない。そのため、血清PSA検査でトータルPSA値がグレーゾーンであった場合には、確定診断を得るために通常針生検を行うが、その針生検をおこなうことにより感染症リスクが増加することが問題となっている。【０００７】
この問題を解決するために、トータルPSA値の他に、例えばPSA密度、PSA勾配、遊離型PSA／トータルPSAの比、等を指標にしてPcaを判定する試みが行われてきた。しかし、これらの指標を用いたコンビネーション・アッセイにより、Pcaの診断精度が向上する可能性が報告されてきているが、臨床現場において一般的に普及される状況には至っていない。【０００８】
ところで、現在腫瘍マーカーとして使用されている分子の多くは、糖タンパク質である。この腫瘍マーカーの糖鎖構造は、正常組織由来のものと癌由来のものでは、その構造が大きく異なることが知られている。【０００９】
PSAも分子量34kDaの糖タンパク質であり、糖鎖は、その約8%を占める。【００１０】
PSAが有する糖鎖に関する研究で、PSAは二本鎖の糖鎖を持ち、その糖鎖は末端にシアル酸がα(2,6)結合でガラクトースに結合したN型糖鎖のみであるとの報告があった(非特許文献３)。【００１１】
しかし大山らは、末端シアル酸残基がα(2,3)結合でガラクトースに結合した糖鎖を特異的に認識するMAA（Maackia amurensis Lectin、イヌエンジュレクチン）を用いたアフィニティークロマトグラフィーにより、PcaとBPHを識別する方法を完成した(特許文献１)。該方法は、「分画前の血清のフリーPSA（遊離型PSA）値およびトータルPSA値に対する、レクチン結合分画のフリーPSA値およびトータルPSA値のパーセント比を取るか、あるいは分画前の血清のフリーPSA値に対する、レクチン結合分画のフリーPSA値のパーセント比を取り、その値からPcaとBPHを識別する方法」である。【００１２】
その後、PSAの糖鎖が非常に多様性に富んでいること(非特許文献４)、及びPSAの糖鎖の末端シアル酸はα(2,6)結合のみでなくα(2,3)結合でガラクトースに結合しているものも約10%存在することが、大山らによって明らかになった。次いで、Pca患者の血清中には、そのN型糖鎖の末端シアル酸残基がα(2,6)結合でガラクトースに結合したPSAよりもα(2,3)結合でガラクトースに結合したPSAが増加することが明らかになった(非特許文献５)。【００１３】
また、セイヨウニワトコレクチン(SNA)を用いて患者の血清試料中のPSAが有する糖鎖のα(2,6)結合シアル化の程度、及びPSAが有する糖鎖のα(2,3)結合シアル化の程度を分析することにより、患者がPcaを有しているか否か（Pcaに罹患しているか否か）を確認する方法が開示された（特許文献２）。【００１４】
更に、大山らは、抗遊離型PSA抗体と末端シアル酸残基がα(2, 3)結合でガラクトースに結合した糖鎖を特異的に認識するモノクローナル抗体を用いて試料中の末端シアル酸残基がα(2, 3)結合でガラクトースに結合したＮ型糖鎖を有する遊離型PSA量を測定し、得られた測定量を予め設定されたPcaとBPHのカットオフ値と比較することにより、カットオフ値よりも多い場合はPcaであるかその蓋然性が高く、少ない場合にはBPHであるかその蓋然性が高いと判定する、PcaとBPHを識別する方法を報告している（特許文献３、非特許文献６）。
【先行技術文献】
【特許文献】
【００１５】
【特許文献１】特許４５１４９１９号公報
【特許文献２】特表２０１１−５２９１８４号公報
【特許文献３】ＷＯ２０１４−０５７９８３号パンフレット
【非特許文献】
【００１６】
【非特許文献１】Stamey T.A. et al., N. Engl. J. Med., 1987, vol. 317, pp.909-916
【非特許文献２】Catalona W.J., et al., JAMA, 1998, vol. 279, pp.1542-1547
【非特許文献３】Belanger A, Van Halbeek H, Gravuxes HC, et al., Prostate, 1995, vol. 27, pp. 187-197
【非特許文献４】Ohyama C., et al., Glycobiology, 2004, vol. 14, pp. 671-679
【非特許文献５】Tajiri M., Ohyama C., Wada Y., Glycobiolgy, 2008, vol. 18, pp. 2-8
【非特許文献６】Yoneyama T. et al., Biochem Biophys Res Commun. 2014 vol. 448, No. 4, pp. 390-396
【発明の概要】
【発明が解決しようとする課題】
【００１７】
特許文献１には「癌患者におけるフリーPSA（遊離型PSA）およびトータルPSAに対するMAA結合分画の割合」は、それぞれ16.9±5.2(平均±標準偏差)％および7.5±4.2％であった。一方、BPHの場合、その割合は、それぞれ0.6±0.2％および0.3±0.1％であった。」と記載されている。【００１８】
しかしながら、特許文献１で検討された検体数はPca患者１７名、BPH患者１５名であり、極めて少ない。よって、特許文献１に記載の「癌患者におけるフリーPSA（遊離型PSA）およびトータルPSAに対するMAA結合分画の割合」、及び得られた具体的な数値を、Pca判定の指標として用いることはできなかった。【００１９】
また、特許文献１で使用したPca患者由来試料のトータルPSA値の中央値は138 ng/mLであり、グレーゾーンよりはるかに高い値であった。従って該文献に記載された識別方法で、トータルPSA値がグレーゾーンの患者のPcaの判定を行うことは極めて困難であった。【００２０】
また、カットオフ値を用いてPcaの判定を行う特許文献３の方法でも、本願明細書の実施例６、比較例４、及び比較例６で検証した結果、精度の高いPcaの判定を行うことは困難であることが判った。【００２１】
すなわち、上記したように、従来の各種指標を用いても、特に臨床検査で血清PSA値がグレーゾーンであった患者について、精度の高いPcaの判定を行うことは困難であった。【００２２】
更に、Pcaには良性Pcaと悪性Pcaがあり、良性Pcaの場合にはその進行が遅いことから、手術等の侵襲性の治療はせずに経過観察する選択肢もある。一方、悪性Pcaは急速に進行するので、早い段階でPcaを発見し、且つその悪性度を判別する必要がある。しかし、良性Pcaと悪性Pcaを判別できるマーカーや判別方法は、未だ知られていない。【００２３】
本発明は、上記した如き状況に鑑みなされたもので、Pcaの新たな判定方法及びその悪性度の判定方法を提供することを課題とする。
【課題を解決するための手段】
【００２４】
本発明者等は、上記問題点を解決すべく鋭意研究の結果、生体由来試料中の遊離型PSA量に対する、糖鎖の末端シアル酸残基が糖鎖の末端から２番目のガラクトース残基にα(2, 3)結合した糖鎖を有する遊離型PSAの量の比率が、Pcaか否かを判定する指標となることを見出した。そして更に鋭意研究の結果、該比率が40％より高い場合にPcaであるかその蓋然性が高いと判定することができること、更に該比率が47％より高い場合にPcaの悪性度が高いと判定することができることを見出し、本発明を完成した。【００２５】
すなわち、本発明は以下の構成よりなる。
「生体由来試料中の遊離型前立腺特異抗原量に対する糖鎖の末端シアル酸残基が糖鎖の末端から２番目のガラクトース残基にα(2, 3)結合した糖鎖を有する遊離型PSA量の比率を測定し、その比率が40％より高い場合に前立腺癌であるかその蓋然性が高いと判定する、前立腺癌の判定方法。」
【発明の効果】
【００２６】
本発明のPcaの判定方法は、非侵襲的且つ簡便にPca及びその悪性度を、高い精度で判定（診断、検査）することが出来る。特に、従来判定が困難であったトータルPSA値がグレーゾーンにある患者において、Pcaであるか又その蓋然性が高いか否かを判定することが出来る。【００２７】
また、本発明のPcaの判定方法は、Pcaの悪性度を判定することができるので、本発明の判定方法により得られた判定結果は、その後のPcaの治療方針を設定する上で重要な指針となる。【００２８】
更に本発明のPcaの判定方法は、糖鎖多様性などのPSAの測定やPcaの判定に影響を及ぼすことが懸念される外国人試料を用いた場合でも、Pcaを高い精度で判定できる。
【図面の簡単な説明】
【００２９】
【図１】糖鎖の末端シアル酸残基が糖鎖の末端から２番目のガラクトース残基にα(2, 3)結合した糖鎖の一例の模式図である。
【図２】実施例１におけるDNA標識抗PSA抗体の調製方法を示した図である。
【図３】実施例１で使用したマイクロチップの模式図である。
【図４】実施例１で使用したマイクロチップのチップ内流路の模式図である。
【図５】実施例１で得られた、エレクトロフェログラムである。
【図６】実施例２で得られた、エレクトロフェログラムである。図６（１）は、リコンビナントα(2, 3)糖鎖遊離型PSAを含有する泳動用試料Ａを用いて得られた結果を、図６（２）は、リコンビナントα(2, 6)糖鎖遊離型PSAを含有する泳動用試料Ａを用いて得られた結果をそれぞれ示す。
【図７】実施例３で得られた、マイクロチップキャピラリー電気泳動による測定の、α(2, 3)糖鎖遊離型PSA及びα(2, 6)糖鎖遊離型PSAの捕捉効率を確認した結果である。図７(１)は、各サンプル溶液の実測値をもとに算出した遊離型PSA量に対するα(2,3)糖鎖遊離型PSA量の比率と理論値との関係を示す。図７(２)は、各サンプル溶液について得られた複合体１の分画のピーク面積の実測値（■）及び複合体２の分画のピーク面積の実測値（◆）と、そのサンプル溶液の理論値との関係を示す。
【図８】実施例４で得られた、遊離型PSA量に対するα(2,3)糖鎖遊離型PSA量の比率をPca患者とBPH患者で比較した結果を示す。
【図９】実施例４、比較例１、及び比較例２で得られた結果を示す。図９(１)（上図）は、実施例４で得られた、遊離型PSA量に対するα(2, 3)糖鎖遊離型PSA量の比率をPca患者とBPH患者間で比較した結果を示す。図９(２)（上図）は、比較例１で得られた、トータルPSA値（total PSA）をPca患者とBPH患者間で比較した結果を示す。図９(３)（上図）は、比較例２で得られた、トータルPSA値に対する遊離型PSA値の比率（%fPSA）をPca患者とBPH患者間で比較した結果を示す。また、図９の下図は、夫々の測定結果をもとに得られたROC解析の結果である。
【図１０】実施例５で得られたROC曲線である。
【図１１】実施例７及び比較例３，４で得られた結果を示す。図１１(１)は、実施例７で得られた、遊離型PSA量に対するα(2,3)糖鎖遊離型PSA量の比率をPca患者とBPH患者で比較した結果を示す。図１１(２)は、実施例７及び比較例３，４で得られたROC解析の結果である。(a)は、実施例７で得られた遊離型PSA量に対するα(2,3)糖鎖遊離型PSA量の比率について解析した結果を示し、(b)は比較例３で得られたα(2, 3)糖鎖遊離型PSA量について解析した結果を示し、(c)は比較例４で得られたトータルPSA値について解析した結果を示す。
【図１２】比較例３及び４で得られた結果を示す。図１２(１)は、比較例３で得られた、トータルPSA値をPca患者とBPH患者で比較した結果を示し、図１２(２)は、比較例４で得られた、α(2,3)糖鎖遊離型PSA量(MFI)をPca患者とBPH患者で比較した結果を示す。
【図１３】実施例８で得られた、遊離型PSA量に対するα(2,3)糖鎖遊離型PSA量の比率をPca患者と非癌者で比較した結果を示す。
【図１４】実施例８で得られたROC解析の結果である。図１４(１)は、遊離型PSA量に対するα(2,3)糖鎖遊離型PSA量の比率について、解析を行った結果である。図１４(２)は、トータルPSA値について解析を行った結果である。
【図１５】実施例８でられたROC解析の結果をもとにカットオフ値の検定を行った結果である。
【図１６】実施例９及び比較例５で得られた結果を示す。図１６(１)は、実施例９で得られた、グリーソンスコアと“遊離型PSA量に対するα(2,3)糖鎖遊離型PSA量の比率”との関係を示す。図１６(２)は、比較例５で得られた、グリーソンスコアとトータルPSA値との関係を示す。
【図１７】実施例９で得られたROC曲線解析の結果をもとにカットオフ値の検定を行った結果である。
【図１８】実施例１０及び比較例６で得られた結果を示す。図１８(１)は、実施例１０で得られた、遊離型PSA量に対するα(2,3)糖鎖遊離型PSA量の比率をPca患者とBPH患者で比較した結果を示す。図１８(２)は、比較例６で得られた、α(2,3)糖鎖遊離型PSA量(MFI)をPca患者と非癌者で比較した結果を示す。
【図１９】実施例１１で行った表面プラズモン共鳴法で得られたセンサグラムである。
【発明を実施するための形態】
【００３０】
＜本発明に係るPSAについて＞
本発明に係る「結合型PSA」とは、一般に「結合型PSA」と呼ばれるPSA、すなわち「α１-アンチキモトリプシンやα2-マクログロブリンなどの結合タンパク質と結合して複合体を形成したPSA」をいう。
【００３１】
本発明に係る「遊離型PSA」とは、一般に「遊離型PSA」と呼ばれるPSA、すなわち「α１-アンチキモトリプシンやα2-マクログロブリンなどの結合タンパク質と結合していないPSA」をいう。
【００３２】
本発明に係る「糖鎖の末端シアル酸残基が糖鎖の末端から２番目のガラクトース残基にα(2, 3)結合した糖鎖」とは、糖鎖の末端（非還元末端）がSiaα2→3 Galの構造である糖鎖を意味し、末端シアル酸残基としては、例えばN-アセチルノイラミン酸が挙げられる。
【００３３】
本発明に係る「糖鎖の末端シアル酸残基が糖鎖の末端から２番目のガラクトース残基にα(2, 3)結合した糖鎖」とは、具体的には以下の構造をいう。
2017130578.tif 000002
【００３４】
本発明に係る「糖鎖の末端シアル酸残基が糖鎖の末端から２番目のガラクトース残基にα(2, 3)結合した糖鎖」を有するPSAの糖鎖の構造の一例を下記式(I)に示す。
【００３５】
2017130578.tif 000003
【００３６】
更に、式(I)の糖鎖を有するPSAの一例を、図１に模式図で示す。図１において、糖鎖の末端シアル酸残基は糖鎖の末端から２番目のガラクトース残基にα(2, 3)結合している。また図１では、糖鎖はPSAタンパク質のイソロイシン−アルギニン−アスパラギン−リジン（IRNK）のアミノ酸配列のアスパラギン残基(N)に結合している。
【００３７】
本発明に係る糖鎖の末端シアル酸残基が糖鎖の末端から２番目のガラクトース残基にα(2, 3)結合した糖鎖を有するPSAは、Pca患者の血清中に出現する（非特許文献５）。
【００３８】
本発明に係る「糖鎖の末端シアル酸残基が糖鎖の末端から２番目のガラクトース残基にα(2, 3)結合した糖鎖を有する遊離型PSA」とは、遊離型PSAであって、糖鎖の末端シアル酸残基が糖鎖の末端から２番目のガラクトース残基にα(2, 3)結合した糖鎖を有するPSAをいう。以下、「α(2, 3)糖鎖遊離型PSA」（α(2, 3) free PSA）と略記する。
【００３９】
また、本発明に係る「糖鎖の末端シアル酸残基が糖鎖の末端から２番目のガラクトース残基にα(2, 6)結合した糖鎖を有する遊離型PSA」とは、遊離型PSAであって、糖鎖の末端シアル酸残基が糖鎖の末端から２番目のガラクトース残基にα(2, 6)結合した糖鎖を有するPSAをいう。以下、「α(2, 6)糖鎖遊離型PSA」（α(2, 6) free PSA）と略記する。
【００４０】
＜本発明のPcaの判定方法＞
本発明のPcaの判定方法は、「生体由来試料（以下、単に「試料」ともいう。）中の遊離型PSA量に対するα(2, 3)糖鎖遊離型PSA量の比率を測定し、その比率が40％より高い場合に前立腺癌であるかその蓋然性が高いと判定する、前立腺癌の判定方法。」である。
【００４１】
本発明に係る遊離型PSA量とは、試料中のα(2, 3)糖鎖遊離型PSA量と、α(2, 3)糖鎖遊離型PSA以外の遊離型PSA量の総量である。
【００４２】
本発明に係る「α(2, 3)糖鎖遊離型PSA以外の遊離型PSA」とは、本発明に係る糖鎖の末端シアル酸残基が糖鎖の末端から２番目のガラクトース残基にα(2, 3)結合した糖鎖を有さない遊離型PSAを意味する。
【００４３】
本発明のPcaの判定方法としては、「生体由来試料中の遊離型PSA量及びα(2, 3)糖鎖遊離型PSA量を測定し、得られた遊離型PSA量に対するα(2, 3)糖鎖遊離型PSA量の比率を決定し、その比率が40％又はそれより高い場合に前立腺癌であるかその蓋然性が高いと判定する、前立腺癌の判定方法。」が好ましい。
【００４４】
（１）遊離型PSA量を測定する方法
【００４５】
本発明に係る試料中の遊離型PSA量を測定する方法としては、
１）試料中の遊離型PSA量を直接測定する方法、又は
２）試料中のα(2, 3)糖鎖遊離型PSA量とα(2, 3)糖鎖遊離型PSA以外の遊離型PSA量をそれぞれ測定し、その総和を遊離型PSA量とする方法
が挙げられる。
【００４６】
１）試料中の遊離型PSA量を直接測定する方法
遊離型PSA量を直接測定するには、公知の遊離型PSA量を測定する方法で測定すればよい。例えば、抗遊離型PSA抗体、又は抗PSA抗体と抗遊離型PSA抗体を用いた公知の免疫学的測定法等で測定すればよい。
【００４７】
本発明に係る抗PSA抗体は、PSAに親和性を有する抗体、具体的にはPSAのコアタンパク質に親和性を有する（結合する）抗体である。すなわち、本発明に係る抗PSA抗体は、遊離型PSAと結合型PSAの両方に結合する抗体と、遊離型PSAに特異的に結合する抗体(抗遊離型PSA抗体)を含む。特に定めない限り、本明細書において単に抗PSA抗体と言う場合は、遊離型PSAと結合型PSAの両方に結合する抗体と、遊離型PSAに特異的に結合する抗体を含む。
【００４８】
本発明に係る抗PSA抗体の種類は特に限定されず、例えばポリクローナル抗体、モノクローナル抗体の何れであってもよく、これらを単独であるいはこれらを適宜組み合わせて用いる等は任意である。また、これら抗体のFab、(ab')2、Fab'フラグメント、あるいは抗体可変領域であってもよい。
【００４９】
本発明に係る抗PSA抗体は、市販の抗体を用いてもよい。
【００５０】
本発明に係る抗PSA抗体のうち、遊離型PSAと結合型PSAの両方に親和性を有する抗体の市販品としては、例えばAnti PSAモノクローナル抗体 PSA10（Anti PSAモノクローナル抗体 クローンNo. PSA10、和光純薬工業(株)自製品）、Anti PSAモノクローナル抗体 （5A6）（HyTest社）、Anti PSAモノクローナル抗体（5G6）（HyTest社）、Anti PSAモノクローナル抗体（PS6）（HyTest社）、Anti PSAモノクローナル抗体（PSA14）（和光純薬工業(株)自製品）、Anti-Prostate Specific Antigen 抗体（EP1588Y）（アブカム社）、Anti-Prostate Specific Antigen 抗体（A67-B/E3）（アブカム社）、Anti-Prostate Specific Antigen 抗体（35H9）（アブカム社）、Anti-Prostate Specific Antigen 抗体（KLK3/801）（アブカム社）、Anti-Prostate Specific Antigen 抗体（3E6）（アブカム社）、Anti-Prostate Specific Antigen 抗体（8301）（アブカム社）、Anti-Prostate Specific Antigen 抗体（A5D5）（アブカム社）、Anti-Prostate Specific Antigen 抗体（PSA 28/A4）（アブカム社）、Anti-Prostate Specific Antigen 抗体（1H12）（アブカム社）等が挙げられる。
【００５１】
本発明に係る抗PSA抗体のうち、遊離型PSAに特異的に結合する抗体(抗遊離型PSA抗体)の市販品としては、例えばAnti PSAモノクローナル抗体 PSA12（Anti PSAモノクローナル抗体 クローンNo. PSA12、和光純薬工業(株)自製品）、Anti PSAモノクローナル抗体（8A6）（HyTest社）、Anti PSAモノクローナル抗体（PS1）（HyTest社）、Anti PSAモノクローナル抗体（クローン108）（Anogen社）、Anti-Prostate Specific Antigen 抗体（PS2）（アブカム社）、Anti-Prostate Specific Antigen 抗体（2H9）（アブカム社）等が挙げられる。
【００５２】
本発明に係る抗PSA抗体（抗遊離型PSA抗体を含む。）は、検出可能な標識物質で標識されていてもよい。該抗体を標識するために用いられる標識物質は、後記する「本発明に係るアフィニティー物質として用いられる抗体」を標識する標識物質と同じものが挙げられる。また、該抗体の標識方法も、後記する本発明に係るアフィニティー物質として用いられる抗体を標識する方法と同じ方法が挙げられる。
【００５３】
遊離型PSA量は、市販されている遊離型PSA測定用キット（例えばHuman Circulating Cancer BioMarker Panel 1 セレクトキット（LUMINEX社製）等）、フリーPSA・アボット（アボット社）、ルミパルス フリーＰＳＡ（富士レビオ(株)）、ビトロス フリーPSA（オーソ・クリニカル・ダイアグノスティックス(株)）、ST AIA-PACK free PSA（東ソー(株)）、エクルーシスTM試薬 free PSA（ロシュ・ダイアグノスティックス(株)）を用いて測定してもよい。
【００５４】
２）試料中のα(2, 3)糖鎖遊離型PSA量とα(2, 3)糖鎖遊離型PSA以外の遊離型PSA量をそれぞれ測定し、その総量を遊離型PSA量とする方法
上記方法としては、後記する「α(2, 3)糖鎖遊離型PSA量、又はα(2, 3)糖鎖遊離型PSA量とα(2, 3)糖鎖遊離型PSA以外の遊離型PSA量を測定する方法」に記載された方法が挙げられる。
【００５５】
（２）α(2, 3)糖鎖遊離型PSA量、又はα(2, 3)糖鎖遊離型PSA量とα(2, 3)糖鎖遊離型PSA以外の遊離型PSA量を測定する方法
【００５６】
本発明の判定方法において、「α(2, 3)糖鎖遊離型PSA量を測定する方法」とは、「α(2, 3)糖鎖遊離型PSA量」を測定する方法、又は「α(2, 3)糖鎖遊離型PSA量とα(2, 3)糖鎖遊離型PSA以外の遊離型PSA量を測定する方法」を含む。
【００５７】
また、α(2, 3)糖鎖遊離型PSA量を測定するには、α(2, 3)糖鎖遊離型PSAの捕捉効率が80%以上である測定方法で測定することが好ましい。
【００５８】
本発明において、α(2, 3)糖鎖遊離型PSAの捕捉効率とは、
・試料中に混在する様々な糖鎖修飾異性体を有する遊離型PSAの中から、標的となる糖鎖の末端シアル酸残基が糖鎖の末端から２番目のガラクトース残基にα(2, 3)結合した糖鎖（α2,3型シアリル糖鎖）を有する遊離型PSAを捕捉し、検出（測定）するための効率、又は
・試料中に混在する様々な糖鎖修飾異性体を有する遊離型PSAの中から、標的となる糖鎖の末端シアル酸残基が糖鎖の末端から２番目のガラクトース残基にα(2, 3)結合した糖鎖（α2,3型シアリル糖鎖）を有する遊離型PSAを検出（測定）するための効率
をいう。
【００５９】
言い換えれば、本発明に係るα(2, 3)糖鎖遊離型PSAの捕捉効率とは、試料中に存在する遊離型PSAの全量に対する、最終的に検出できるα(2, 3)糖鎖遊離型PSAの割合である、とも言える。
【００６０】
本発明に係るα(2, 3)糖鎖遊離型PSAの捕捉効率は80％以上、好ましくは90％以上、より好ましくは95%以上、更に好ましくは98％以上、特に好ましくは100%である。
【００６１】
本発明に係るα(2, 3)糖鎖遊離型PSAの捕捉効率は後記する方法により確認することが出来る。但し、α(2, 3)糖鎖遊離型PSA量等を測定する度に捕捉効率を確認する必要はない。
【００６２】
「α(2, 3)糖鎖遊離型PSA量、又はα(2, 3)糖鎖遊離型PSA量とα(2, 3)糖鎖遊離型PSA以外の遊離型PSA量を測定する方法」としては、
例えば
１）糖鎖の末端シアル酸残基が糖鎖の末端から２番目のガラクトース残基にα(2, 3)結合した糖鎖に親和性を有する物質（以下、「アフィニティー物質と略記する。」）を用い、α(2, 3)糖鎖遊離型PSAの糖鎖の末端シアル酸残基が糖鎖の末端から２番目のガラクトース残基にα(2, 3)結合した糖鎖と該アフィニティー物質との相互作用を利用してα(2, 3)糖鎖遊離型PSA量、又はα(2, 3)糖鎖遊離型PSA量とα(2, 3)糖鎖遊離型PSA以外の遊離型PSA量を測定する方法、又は
２）アフィニティー物質を用いずにα(2, 3)糖鎖遊離型PSA量、又はα(2, 3)糖鎖遊離型PSA量とα(2, 3)糖鎖遊離型PSA以外の遊離型PSA量を測定する方法
が挙げられる。
【００６３】
１）α(2, 3)糖鎖遊離型PSAの糖鎖の末端シアル酸残基が糖鎖の末端から２番目のガラクトース残基にα(2, 3)結合した糖鎖とアフィニティー物質との相互作用を利用してα(2, 3)糖鎖遊離型PSA量、又はα(2, 3)糖鎖遊離型PSA量とα(2, 3)糖鎖遊離型PSA以外の遊離型PSA量を測定する方法
【００６４】
アフィニティー物質
上記の方法に用いられるアフィニティー物質とは、糖鎖の末端シアル酸残基が糖鎖の末端から２番目のガラクトース残基にα(2, 3)結合した糖鎖に親和性を有する（結合する）物質である。糖鎖の末端シアル酸残基が糖鎖の末端から２番目のガラクトース残基にα(2, 3)結合した糖鎖に特異的な親和性を有する（特異的に結合する）物質が好ましい。糖鎖の末端シアル酸残基が糖鎖の末端から２番目のガラクトース残基にα(2, 3)結合した糖鎖に親和性を有する（結合する）が、それ以外の糖鎖（例えば糖鎖の末端シアル酸残基が糖鎖の末端から２番目のガラクトース残基にα(2, 6)結合した糖鎖等）には親和性を有さない（結合しない）物質が特に好ましい。
【００６５】
本発明に係るアフィニティー物質としては、例えばそのような性質を持つレクチン又は抗体が挙げられる。以下に、アフィニティー物質としてのレクチン及び抗体について、より詳細に説明する。
【００６６】
アフィニティー物質：レクチン
本発明に係るアフィニティー物質として用いられるレクチンとしては、糖鎖の末端シアル酸残基が糖鎖の末端から２番目のガラクトース残基にα(2, 3)結合した糖鎖に親和性を有する（結合する）レクチンが挙げられる。糖鎖の末端シアル酸残基が糖鎖の末端から２番目のガラクトース残基にα(2, 3)結合した糖鎖に特異的な親和性を有する（特異的に結合する）レクチンが好ましい。糖鎖の末端シアル酸残基が糖鎖の末端から２番目のガラクトース残基にα(2, 3)結合した糖鎖に親和性を有する（結合する）が、それ以外の糖鎖（例えば糖鎖の末端シアル酸残基が糖鎖の末端から２番目のガラクトース残基にα(2, 6)結合した糖鎖等）には親和性を有さない（結合しない）レクチンが特に好ましい。
【００６７】
そのような性質を持つレクチンとしては、例えばイヌエンジュ(Maackia amurensis)由来レクチンであるMAA、ヤナギマツタケ(Agrocybe cylindracea)由来レクチンであるACG等の植物例レクチンや、CD169 （シアル酸結合Ig様レクチン１)、ラットMAG、CD328、siglec-9（シアル酸結合イムノグロブリン様 レクチン−９）等の動物性レクチンが挙げられる。中でも、MAAが好ましい。
【００６８】
レクチンは、検出可能な標識物質で標識されていてもよい。
【００６９】
レクチンを標識するために用いられる標識物質としては、例えば蛍光色素（フルオレセインイソチオシアネート(FITC)、Cy5、Alexa Fluor 647等）、酵素（西洋ワサビ由来ペルオキシダーゼ）、補酵素、化学発光物質、放射性物質（32P、14C、125I、3H、131I等）、ビオチン等の標識物質が挙げられる。また、標識物質は直接レクチンに結合させてもよいし、適当なスペーサーを介して結合させてもよい。レクチンは、標識物質の種類に応じた自体公知の標識方法で、標識すればよい。
【００７０】
アフィニティー物質：抗体
本発明に係るアフィニティー物質として用いられる抗体としては、糖鎖の末端シアル酸残基が糖鎖の末端から２番目のガラクトース残基にα(2, 3)結合した糖鎖に特異的な親和性を有する（結合する）抗体が挙げられる。糖鎖の末端シアル酸残基が糖鎖の末端から２番目のガラクトース残基にα(2, 3)結合した糖鎖に特異的な親和性を有する（特異的に結合する）抗体が好ましい。糖鎖の末端シアル酸残基が糖鎖の末端から２番目のガラクトース残基にα(2, 3)結合した糖鎖に親和性を有する（結合する）が、それ以外の糖鎖（例えば糖鎖の末端シアル酸残基が糖鎖の末端から２番目のガラクトース残基にα(2, 6)結合した糖鎖等）には親和性を有さない（結合しない）抗体が特に好ましい。
【００７１】
本発明に係るアフィニティー物質として用いられる抗体の種類は特に限定されず、例えばポリクローナル抗体、モノクローナル抗体の何れであってもよく、これらを単独であるいはこれらを適宜組み合わせて用いる等は任意である。また、これら抗体のFab、(ab')2、Fab'フラグメント、あるいは抗体可変領域であってもよ。
【００７２】
本発明に係るアフィニティー物質として用いられる抗体は、市販の抗体を用いてもよい。
【００７３】
本発明に係るアフィニティー物質として用いられる抗体、すなわち糖鎖の末端シアル酸残基が糖鎖の末端から２番目のガラクトース残基にα(2, 3)結合した糖鎖に親和性を有する抗体の市販品としては、例えばAnti Siaα2-3, Monoclonal Antibody (HYB4)（和光純薬工業(株)製）、抗GM3(Neu Ac), モノクローナル抗体 (Clone : M2590)（和光純薬工業(株)製）、抗シアリルLea抗原, モノクローナル抗体(MSW113)（和光純薬工業(株)製）、Anti-GM3 Monoclonal Antibody（東京化成工業(株)）、Anti-シアリルルイスA Monoclonal Antibody(1H4)（東京化成工業(株)）、Anti-シアリルルイスA Monoclonal Antibody(NKH3)（GLYCONEX INC.）等が挙げられる。
【００７４】
本発明に係るアフィニティー物質として用いられる抗体は、検出可能な標識物質で標識されていてもよい。該抗体を標識するために用いられる標識物質としては、例えばEIA(ELISA, Enzyme-Linked Immunosorbent Assay)に於いて用いられるアルカリホスファターゼ，β-ガラクトシダーゼ，パーオキシダーゼ，マイクロペルオキシダーゼ，グルコースオキシダーゼ，グルコース-6-リン酸脱水素酵素，アセチルコリンエステラーゼ，リンゴ酸脱水素酵素，ルシフェラーゼ等の酵素類、例えばRIA（Radioimmunoassay）で用いられる99mTc，131I，125I，14C，3H等の放射性同位元素、例えばHiLyte 647（AhaSpec社製），フルオレセイン，ダンシル，フルオレスカミン，クマリン，ナフチルアミン或はこれらの誘導体等の蛍光性物質、例えばルシフェリン，イソルミノール，ルミノール，ビス(2,4,6-トリフロロフェニル)オキザレート等の発光性物質、例えばフェノール，ナフトール，アントラセン或はこれらの誘導体等の紫外部に吸収を有する物質、例えば4-アミノ-2,2,6,6-テトラメチルピペリジン-1-オキシル，3-アミノ-2,2,5,5-テトラメチルピロリジン-1-オキシル，2,6-ジ-t-ブチル-α-(3,5-ジ-t-ブチル-4-オキソ-2,5-シクロヘキサジエン-1-イリデン)-p-トリルオキシル等のオキシル基を有する化合物に代表されるスピンラベル化剤としての性質を有する物質等が挙げられる。
【００７５】
上記した如き標識物質を抗体に結合させる（標識する）には、例えば自体公知のEIA、RIAあるいはFIA等において一般に行われている自体公知の標識方法［例えば、医化学実験講座、第8巻、山村雄一監修、第1版、中山書店、1971；図説  蛍光抗体、川生明著、第1版、(株)ソフトサイエンス社、1983；酵素免疫測定法、石川栄治、河合忠、室井潔編、第2版、医学書院、1982等］を適宜利用して行えばよい。また、標識方法として、アビジン（又はストレプトアビジン）とビオチンの反応を利用した常法を利用しても良いことは言うまでもない。
【００７６】
上記１）の方法、すなわち「α(2, 3)糖鎖遊離型PSAの糖鎖の末端シアル酸残基が糖鎖の末端から２番目のガラクトース残基にα(2, 3)結合した糖鎖とアフィニティー物質との相互作用を利用してα(2, 3)糖鎖遊離型PSA量、又はα(2, 3)糖鎖遊離型PSA量とα(2, 3)糖鎖遊離型PSA以外の遊離型PSA量を測定する方法」において、α(2, 3)糖鎖遊離型PSAの捕捉効率は80%以上であることが好ましい。
【００７７】
上記方法におけるα(2, 3)糖鎖遊離型PSAの捕捉効率とは「試料中に混在する様々な糖鎖修飾異性体を有する遊離型PSAタンパクの中から、標的となる糖鎖の末端シアル酸残基が糖鎖の末端から２番目のガラクトース残基にα(2, 3)結合した糖鎖（α2,3型シアリル糖鎖）を有する遊離型PSAを捕捉し、検出（測定）するための効率」である。
【００７８】
言い換えれば、上記方法におけるα(2, 3)糖鎖遊離型PSAの捕捉効率とは、試料中に存在するα(2, 3)糖鎖遊離型PSAの全量に対する、最終的に検出できるα(2, 3)糖鎖遊離型PSAの割合である、とも言える。
【００７９】
上記の方法において、α(2, 3)糖鎖遊離型PSAの捕捉効率を求める方法としては、例えば以下の方法があげられる。
【００８０】
アフィニティー物質と、濃度既知の「糖鎖の末端シアル酸残基が糖鎖の末端から２番目のガラクトース残基にα(2, 3)結合した糖鎖のみを有するα(2, 3)糖鎖遊離型PSA」（以下、「α(2, 3)糖鎖遊離型PSA標準」と記載する。）を用いて、α(2, 3)糖鎖遊離型PSAの測定を行う。捕捉効率は、試料として測定に供したα(2, 3)糖鎖遊離型PSA量に対する、α(2, 3)糖鎖遊離型PSA量の測定値の割合を求めることにより、得られる。
【００８１】
又は、アフィニティー物質と、検出可能な標識物質で標識したα(2, 3)糖鎖遊離型PSA標準を用いて、α(2, 3)糖鎖遊離型PSAの測定を行う。次いで、アフィニティー物質を用いないで、同様に検出可能な標識物質で標識したα(2, 3)糖鎖遊離型PSAの測定を行う。捕捉効率は、アフィニティー物質を用いないで得られた測定結果に対するアフィニティー物質を用いて得られた測定結果の割合を求めることにより、得られる。
【００８２】
捕捉効率を求める方法の具体例としては、例えば以下の方法が挙げられる。すなわち、アフィニティー物質と、（濃度既知の）α(2, 3)糖鎖遊離型PSA標準を反応させる。反応後、α(2, 3)糖鎖遊離型PSAとアフィニティー物質とが複合体形成した画分と未反応画分を分離し、それぞれの画分の標的糖鎖の量を質量分析装置で分析する。捕捉効率は、複合体形成した画分の標的糖鎖の量／（複合体形成した画分の標的糖鎖の量＋未反応画分の標的糖鎖の量）を求めることによって、得られる。
【００８３】
α(2, 3)糖鎖遊離型PSA標準の作製方法としては、例えば、後記する実施例２(１)に記載された方法が挙げられる。すなわち、例えば非特許文献６の2. Materials and methods (2.7 Forced expression of FLAG-tag-fused S2,3PSA)に開示された方法に従ってr遊離型PSA（r α(2, 3)糖鎖遊離型PSAとr α(2, 6)糖鎖遊離型PSAを含む）を取得する。取得したr遊離型PSAから、r α(2, 3)糖鎖遊離型PSAとr α(2, 6)糖鎖遊離型PSAを公知の方法で分離・精製する。例えば、まずシアリルα2,3-ガラクトース構造に対して高い親和性を示すレクチンを用いたレクチンカラムクロマトグラフィーによりr α(2, 3)糖鎖遊離型PSAとr α(2, 6)糖鎖遊離型PSAとを分離する。次いでゲルろ過を行って、r α(2, 3)糖鎖遊離型PSA及びr α(2, 6)糖鎖遊離型PSAを、それぞれ精製する。得られた精製r α(2, 3)糖鎖遊離型PSAを、「α(2, 3)糖鎖遊離型PSA標準」として用いることができる。また、得られた精製r α(2, 6)糖鎖遊離型PSAを、必要に応じ「α(2, 6)糖鎖遊離型PSA標準」として用いることが出来る。
【００８４】
なお、α(2, 3)糖鎖遊離型PSA量等を測定する毎に捕捉効率を確認する必要はない。あるアフィニティー物質を用いてα(2, 3)糖鎖遊離型PSA量、又はα(2, 3)糖鎖遊離型PSA量とα(2, 3)糖鎖遊離型PSA以外の遊離型PSA量を測定した場合の、α(2, 3)糖鎖遊離型PSAの捕捉効率が80%以上、好ましくは90％以上、より好ましくは95%以上、更に好ましくは98％以上、特に好ましくは100%であることを一度確認すれば、そのアフィニティー物質を使用してα(2, 3)糖鎖遊離型PSA量を測定する場合には、改めて捕捉効率を確認する必要はない。
【００８５】
上記１）の方法に係るα(2, 3)糖鎖遊離型PSAの測定方法におけるα(2, 3)糖鎖遊離型PSAの捕捉効率は80％以上、好ましくは90％以上、より好ましくは95%以上、更に好ましくは98％以上、特に好ましくは100%である。
【００８６】
本発明に係る「α(2, 3)糖鎖遊離型PSAの糖鎖の末端シアル酸残基が糖鎖の末端から２番目のガラクトース残基にα(2, 3)結合した糖鎖とアフィニティー物質との相互作用を利用してα(2, 3)糖鎖遊離型PSA量、又はα(2, 3)糖鎖遊離型PSA量とα(2, 3)糖鎖遊離型PSA以外の遊離型PSA量を測定する方法」としては、
「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体の量を測定し、その結果に基づいてα(2, 3)糖鎖遊離型PSA量、又はα(2, 3)糖鎖遊離型PSA量とα(2, 3)糖鎖遊離型PSA以外の遊離型PSA量を測定する方法」が挙げられる。
【００８７】
上記方法において、α(2, 3)糖鎖遊離型PSAの捕捉効率は80%以上であることが好ましい。
【００８８】
上記の方法において、「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させる方法」としては、「α(2, 3)糖鎖遊離型PSAの糖鎖の末端シアル酸残基が糖鎖の末端から２番目のガラクトース残基にα(2, 3)結合した糖鎖に対する該アフィニティー物質の親和性によってα(2, 3)糖鎖遊離型PSAと該アフィニティー物質との複合体を生成させる方法」が挙げられる。その具体的な方法は続いて行う該複合体の測定方法によって変わる。実施する該複合体の測定方法毎に、適宜最適な方法を選択して実施すればよい。
【００８９】
上記の方法のより好ましい例としては、「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量、又はα(2, 3)糖鎖遊離型PSA量とα(2, 3)糖鎖遊離型PSA以外の遊離型PSA量を測定する方法」が挙げられる。
【００９０】
「該複合体（α(2, 3)糖鎖遊離型PSAとアフィニティー物質との複合体）以外の成分を系内から除去せずに該複合体の量を測定する方法」とは、所謂B/F分離を行わないホモジニアスな方法でα(2, 3)糖鎖遊離型PSAとアフィニティー物質との複合体の量を測定する方法を意味する。例えば、該複合体以外の成分を測定系から除去するために通常行う洗浄操作を行わずに該複合体の量を測定する方法、が挙げられる。
【００９１】
以上の方法の中でも、「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体以外の成分を系内から除去せずに（該複合体以外の成分を測定系から除去するために通常行う洗浄操作を行わずに）該複合体の量を測定し、その結果に基づいてα(2, 3)糖鎖遊離型PSA量、又はα(2, 3)糖鎖遊離型PSA量とα(2, 3)糖鎖遊離型PSA以外の遊離型PSA量を測定する方法」が好ましい。
【００９２】
更に、上記方法において、α(2, 3)糖鎖遊離型PSAの捕捉効率は80%以上であることが好ましい。
【００９３】
本発明に係るα(2, 3)糖鎖遊離型PSA量、又はα(2, 3)糖鎖遊離型PSA量とα(2, 3)糖鎖遊離型PSA以外の遊離型PSA量を測定する方法に使用するアフィニティー物質は、試料中のα(2, 3)糖鎖遊離型PSAの80%以上を測定出来るのに十分な量でなくてはならない。
【００９４】
すなわち、α(2, 3)糖鎖遊離型PSAの測定時には、試料中のα(2, 3)糖鎖遊離型PSAの80%以上の量を測定し得るようなα(2, 3)糖鎖遊離型PSAとの複合体を形成できる、十分な量のアフィニティー物質を用いる必要がある。
【００９５】
そのようなアフィニティー物質の使用量は、アフィニティー物質のα(2, 3)糖鎖遊離型PSAに対する結合定数と、試料中のα(2, 3)糖鎖遊離型PSAの量を考慮して定められる。
【００９６】
α(2, 3)糖鎖遊離型PSAに対する親和性が強く、α(2, 3)糖鎖遊離型PSAに結合すれば再解離しないアフィニティー物質を用いる場合には、測定時には、試料中のα(2, 3)糖鎖遊離型PSAの80%以上がアフィニティー物質と複合体を形成している程度に、十分な量のアフィニティー物質を使用する。
【００９７】
α(2, 3)糖鎖遊離型PSAに対する親和性が十分ではなく、一旦α(2, 3)糖鎖遊離型PSAに結合しても再解離してしまうようなアフィニティー物質を用いる場合には、再解離した後でも、測定時には、試料中のα(2, 3)糖鎖遊離型PSAの80%以がアフィニティー物質と複合体を形成している程度に、十分な量のアフィニティー物質を使用する必要がある。
【００９８】
以上の条件を満たすために使用するアフィニティー物質の量は、試料中のα(2, 3)糖鎖遊離型PSAに対して過剰量（飽和量）のアフィニティー物質を使用することが好ましい、
【００９９】
なお、上記１）の方法、すなわち「α(2, 3)糖鎖遊離型PSAの糖鎖の末端シアル酸残基が糖鎖の末端から２番目のガラクトース残基にα(2, 3)結合した糖鎖とアフィニティー物質との相互作用を利用してα(2, 3)糖鎖遊離型PSA量、又はα(2, 3)糖鎖遊離型PSA量とα(2, 3)糖鎖遊離型PSA以外の遊離型PSA量を測定する方法」において、α(2, 3)糖鎖遊離型PSAのみを測定する方法としては、例えば、アフィニティー物質を検出可能な標識物質で標識した標識アフィニティー物質を用いて、α(2, 3)糖鎖遊離型PSA以外の遊離型PSAは検出せずに、標識アフィニティー物質とα(2, 3)糖鎖遊離型PSAとの複合体のみを検出することにより、α(2, 3)糖鎖遊離型PSAのみを測定する方法等が挙げられる。α(2, 3)糖鎖遊離型PSA量とα(2, 3)糖鎖遊離型PSA以外の遊離型PSA量の両方を測定する方法としては、α(2, 3)糖鎖遊離型PSAとアフィニティー物質との相互作用を利用してα(2, 3)糖鎖遊離型PSAとα(2, 6)糖鎖遊離型PSA以外の遊離型PSAを分離した後、抗PSA抗体等を用いてPSAを測定することにより、α(2, 3)糖鎖遊離型PSAとα(2, 6)糖鎖遊離型PSA以外の遊離型PSAの両方を測定する方法等が挙げられる。
【０１００】
以下に、α(2, 3)糖鎖遊離型PSA量のみを測定する方法、及びα(2, 3)糖鎖遊離型PSA量とα(2, 3)糖鎖遊離型PSA以外の遊離型PSA量の両方を測定する方法の具体例を記載する。
【０１０１】
以下の具体例において、「糖鎖の末端シアル酸残基が糖鎖の末端から２番目のガラクトース残基にα(2, 3)結合した糖鎖」を便宜的に「標的糖鎖」と記載する場合がある。
【０１０２】
（ａ）α(2, 3)糖鎖遊離型PSA量のみを測定する方法
【０１０３】
［方法１］
１）生体由来試料と、標識物質で標識された糖鎖の末端シアル酸残基が糖鎖の末端から２番目のガラクトース残基にα(2, 3) 結合した糖鎖に親和性を有する第１抗体と、PSAに親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、α(2, 3)糖鎖遊離型PSA以外の遊離型PSAと第２抗体の複合体（第２複合体）を形成させる工程、
２）必要に応じ、上記１）で得られた第１複合体と第２複合体とを分離する工程、
３）該複合体を構成する標識抗体の標識物質に由来するシグナルを測定することにより、第１複合体の量を測定し、その測定値をもとにα(2, 3)糖鎖遊離型PSA量を求める工程。
【０１０４】
上記方法１に用いられる第２抗体は、遊離型PSAに特異的に結合する抗体であってもよい。
【０１０５】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１０６】
［方法２］
１）生体由来試料と、糖鎖の末端シアル酸残基が糖鎖の末端から２番目のガラクトース残基にα(2, 3) 結合した糖鎖に親和性を有し、且つ標識物質で標識された第１抗体（アフィニティー物質）と、PSAに親和性を有する第２抗体とを接触させて、標識第１抗体とα(2, 3)糖鎖遊離型PSAと第２抗体の複合体（第１複合体）と、α(2, 3)糖鎖遊離型PSA以外の遊離型PSAと第２抗体の複合体（第２複合体）を形成させる工程、
２）必要に応じ、上記１）の工程で得られた第１複合体と第２複合体とを分離する工程、
３）該複合体を構成する標識第１抗体の標識物質に由来するシグナルを測定することにより、第１複合体の量を測定し、その測定値をもとにα(2, 3)糖鎖遊離型PSA量を求める工程。
【０１０７】
上記方法２に用いられる第２抗体は、遊離型PSAに特異的に結合する抗体であってもよい。
【０１０８】
また、第１複合体と第２複合体とは、第１抗体の標的糖鎖に対する親和性に基づいて分離してもよいし、第１複合体と第２複合体の質量の差に基づいて分離してもよい（例えば電気泳動等）。
【０１０９】
［方法３］
１）生体由来試料と、糖鎖の末端シアル酸残基が糖鎖の末端から２番目のガラクトース残基にα(2, 3) 結合した糖鎖に親和性を有し且つ標識物質で標識された第１抗体（アフィニティー物質）と、PSAに親和性を有する第２抗体と、遊離型PSAに特異的に結合する第３抗体とを接触させて、標識第１抗体とα(2, 3)糖鎖遊離型PSAと第２抗体と第３抗体の複合体（第１複合体）と、α(2, 3)糖鎖遊離型PSA以外の遊離型PSAと第２抗体と第３抗体の複合体（第２複合体）を形成させる工程、
２）必要に応じ、上記１）の工程で得られた第１複合体と第２複合体とを分離する工程、
３）該複合体を構成する標識第１抗体の標識物質に由来するシグナルを測定することにより、第１複合体の量を測定し、その測定値をもとにα(2, 3)糖鎖遊離型PSA量を求める工程、
【０１１０】
また、第１複合体と第２複合体とは、第１抗体の標的糖鎖に対する親和性に基づいて分離してもよいし、第１複合体と第２複合体の質量の差に基づいて分離してもよい（例えば電気泳動等）。
【０１１１】
上記方法１、２、３の場合、遊離型PSA量は、上記した遊離型PSA量を直接求める方法を実施することによって、求めればよい。また、α(2, 3)糖鎖遊離型PSA量は、予め濃度既知のα(2, 3)糖鎖遊離型PSA標準を用いて同様に測定を行って得られた結果を用いた常法による定量値換算を行って求めればよい。
【０１１２】
（ｂ）α(2, 3)糖鎖遊離型PSA量とα(2, 3)糖鎖遊離型PSA以外の遊離型PSA量の両方を測定する方法
【０１１３】
［方法４］
１）生体由来試料と、PSAに親和性を有し且つ標識物質で標識された抗体（標識抗PSA抗体）と、糖鎖の末端シアル酸残基が糖鎖の末端から２番目のガラクトース残基にα(2, 3) 結合した糖鎖に親和性を有するレクチン（アフィニティー物質）とを接触させて、標識抗PSA抗体とα(2, 3)糖鎖遊離型PSAと該レクチンの複合体（第１複合体）と、標識抗PSA抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識抗PSA抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１１４】
上記方法４に用いられるPSAに親和性を有し且つ標識物質で標識された抗体に係る抗体は、遊離型PSAに特異的に結合する抗体であってもよい。
【０１１５】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１１６】
［方法５］
１）生体由来試料と、PSAに親和性を有し且つ標識物質で標識された第１抗体と、PSAに親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、標識第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１１７】
上記方法５に用いられる第１抗体と第２抗体の組合せの例としては、例えば以下の組合せが挙げられる。但し、第１抗体と第２抗体のエピトープは異なることが好ましい。
・第１抗体及び第２抗体がPSAに親和性を有する抗体である。
・第１抗体がPSAに親和性を有する抗体であり、第２抗体が遊離型PSAに特異的に結合する抗体である。
・第１抗体及び第２抗体が遊離型PSAに特異的に結合する抗体である。
・第１抗体が遊離型PSAに特異的に結合する抗体であり、第２抗体がPSAに親和性を有する抗体である。
【０１１８】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１１９】
［方法６］
１）生体由来試料と、PSAに親和性を有し且つ標識物質で標識された第１抗体と、糖鎖の末端シアル酸残基が糖鎖の末端から２番目のガラクトース残基にα(2, 3) 結合した糖鎖に親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、標識第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１２０】
上記方法６に用いられる第１抗体と第２抗体の組合せの例としては、例えば以下の組合せが挙げられる。但し、第１抗体と第２抗体のエピトープは異なることが好ましい。
・第１抗体がPSAに親和性を有する抗体であり、第２抗体が糖鎖の末端シアル酸残基が糖鎖の末端から２番目のガラクトース残基にα(2, 3) 結合した糖鎖に親和性を有する抗体である。
・第１抗体が遊離型PSAに特異的に結合する抗体であり、第２抗体が糖鎖の末端シアル酸残基が糖鎖の末端から２番目のガラクトース残基にα(2, 3) 結合した糖鎖に親和性を有する抗体である。
【０１２１】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１２２】
［方法７］（標識抗体を使用しない方法）
１）生体由来試料と、PSAに親和性を有する抗体と、糖鎖の末端シアル酸残基が糖鎖の末端から２番目のガラクトース残基にα(2, 3) 結合した糖鎖に親和性を有するレクチン（アフィニティー物質）とを接触させて、該抗体とα(2, 3)糖鎖遊離型PSAと該レクチンの複合体（第１複合体）と、該抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１２３】
上記方法７に用いられるPSAに親和性を有する抗体は、遊離型PSAに特異的に結合する抗体であってもよい。
【０１２４】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１２５】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１２６】
［方法８］（標識抗体を使用しない方法）
１）生体由来試料と、PSAに親和性を有する第１抗体と、遊離型PSAに特異的に結合する第２抗体と、糖鎖の末端シアル酸残基が糖鎖の末端から２番目のガラクトース残基にα(2, 3) 結合した糖鎖に親和性を有するレクチン（アフィニティー物質）とを接触させて、第１抗体とα(2, 3)糖鎖遊離型PSAと第２抗体と該レクチンの複合体（第１複合体）と、第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１２７】
第１複合体と第２複合体とは、レクチンの標的糖鎖に対する親和性に基づいて分離してもよいし、第１複合体と第２複合体の質量の差に基づいて分離してもよい（例えば電気泳動等）。
【０１２８】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１２９】
［方法９］（標識抗体を使用しない方法）
１）生体由来試料と、PSAに親和性を有する第１抗体と、糖鎖の末端シアル酸残基が糖鎖の末端から２番目のガラクトース残基にα(2, 3) 結合した糖鎖に親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、第１抗体とα(2, 3)糖鎖遊離型PSAと第２抗体と該レクチンの複合体（第１複合体）と、第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１３０】
上記方法９に用いられる第１抗体は、遊離型PSAに特異的に結合する抗体であってもよい。
【０１３１】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１３２】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１３３】
［方法１０］
１）生体由来試料と、PSAに親和性を有し且つ標識物質で標識された第１抗体と糖鎖の末端シアル酸残基が糖鎖の末端から２番目のガラクトース残基にα(2, 3) 結合した糖鎖に親和性を有する第２抗体（アフィニティー物質）とを接触させて、標識第１抗体とα(2, 3)糖鎖遊離型PSAと第２抗体の複合体（第１複合体）と、標識第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１３４】
上記方法１０に用いられる第１抗体は、遊離型PSAに特異的に結合する抗体であってもよい。
【０１３５】
また、第１複合体と第２複合体とは、第２抗体の標的糖鎖に対する親和性に基づいて分離してもよいし、第１複合体と第２複合体の質量の差に基づいて分離してもよい（例えば電気泳動等）。
【０１３６】
［方法１１］
１）生体由来試料と、PSAに親和性を有し且つ標識物質で標識された第１抗体と、PSAに親和性を有する第２抗体と、糖鎖の末端シアル酸残基が糖鎖の末端から２番目のガラクトース残基にα(2, 3) 結合した糖鎖に親和性を有する第３抗体（アフィニティー物質）とを接触させて、標識第１抗体とα(2, 3)糖鎖遊離型PSAと第２抗体と第３抗体の複合体（第１複合体）と、標識第１抗体とα(2, 3)糖鎖遊離型PSA以外の遊離型PSAと第２抗体の複合体（第２複合体）を形成させる工程、
２）上記２）の工程で得られた第１複合体と第２複合体とを分離する工程、
３）該複合体を構成する標識第１抗体の標識物質に由来するシグナルを測定することにより、上記３）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１３７】
上記方法１１に用いられる第１抗体と第２抗体の組合せの例としては、例えば以下の組合せが挙げられる。但し、第１抗体と第２抗体のエピトープは異なることが好ましい。
・第１抗体及び第２抗体がPSAに親和性を有する抗体である。
・第１抗体がPSAに親和性を有する抗体であり、第２抗体が遊離型PSAに特異的に結合する抗体である。
・第１抗体が遊離型PSAに特異的に結合する抗体であり、第２抗体がPSAに親和性を有する抗体である。
・第１抗体及び第２抗体が遊離型PSAに特異的に結合する抗体である。
【０１３８】
また、第１複合体と第２複合体とは、第３抗体の標的糖鎖に対する親和性に基づいて分離してもよいし、第１複合体と第２複合体の質量の差に基づいて分離してもよい（例えば電気泳動等）。
【０１３９】
［方法１２］（標識抗体を使用しない方法）
１）生体由来試料と、PSAに親和性を有する第１抗体と、糖鎖の末端シアル酸残基が糖鎖の末端から２番目のガラクトース残基にα(2, 3) 結合した糖鎖に親和性を有する第２抗体（アフィニティー物質）とを接触させて、第１抗体とα(2, 3)糖鎖遊離型PSAと第２抗体の複合体（第１複合体）と、第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１４０】
上記方法１２に用いられる第１抗体は、遊離型PSAに特異的に結合する抗体であってもよい。
【０１４１】
また、第１複合体と第２複合体とは、第２抗体の標的糖鎖に対する親和性に基づいて分離してもよいし、第１複合体と第２複合体の質量の差に基づいて分離してもよい（例えば電気泳動等）。
【０１４２】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１４３】
［方法１３］（標識抗体を使用しない方法）
１）生体由来試料と、PSAに親和性を有する第１抗体と、遊離型PSAに特異的に結合する第２抗体と、糖鎖の末端シアル酸残基が糖鎖の末端から２番目のガラクトース残基にα(2, 3) 結合した糖鎖に親和性を有する第３抗体とを接触させて、第１抗体とα(2, 3)糖鎖遊離型PSAと第２抗体と第３抗体（アフィニティー物質）の複合体（第１複合体）と、第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、第１複合体の量をα(2, 3)糖鎖遊離型とし、第１複合体の量と第２複合体の量の和を遊離型PSA量とする工程。
【０１４４】
また、第１複合体と第２複合体とは、第３抗体の標的糖鎖に対する親和性に基づいて分離してもよいし、第１複合体と第２複合体の質量の差に基づいて分離してもよい（例えば電気泳動等）。
【０１４５】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１４６】
２）アフィニティー物質を用いずにα(2, 3)糖鎖遊離型PSA量、又はα(2, 3)糖鎖遊離型PSA量とα(2, 3)糖鎖遊離型PSA以外の遊離型PSA量を測定する方法
上記方法において、α(2, 3)糖鎖遊離型PSAの捕捉効率は80%以上であることが好ましい。
例えば質量分析装置を用いる方法が挙げられる。
また、該方法におけるα(2, 3)糖鎖遊離型PSAの捕捉効率とは、「試料中に混在する様々な糖鎖修飾異性体を有する遊離型PSAタンパクの中から、標的となる糖鎖の末端シアル酸残基が糖鎖の末端から２番目のガラクトース残基にα(2, 3)結合した糖鎖（α2,3型シアリル糖鎖）を有する遊離型PSを捕捉し、検出（測定）するための効率」をいう。
【０１４７】
言い換えれば、該方法におけるα(2, 3)糖鎖遊離型PSAの捕捉効率とは、試料中に存在するα(2, 3)糖鎖遊離型PSAの全量に対する、最終的に検出できるα(2, 3)糖鎖遊離型PSAの割合である、とも言える。
【０１４８】
（３）比率を決定する方法
１）比率を測定する方法−１
本発明に係る「生体由来試料中の遊離型PSA量に対するα(2, 3)糖鎖遊離型PSAの比率を決定する」方法としては、例えば以下の方法が挙げられる。
【０１４９】
すなわち、α(2, 3)糖鎖遊離型PSA標準を用いて予め作製した、遊離型PSA量に対するα(2, 3)糖鎖遊離型PSA量の比率がわかっている基準液１種以上を用いて、上記した方法によりα(2, 3)糖鎖遊離型PSA量の測定を行う。次いで、被検試料を用いて、同様に上記した方法によりα(2, 3)糖鎖遊離型PSA量の測定を行う。そして、基準液を用いて得られた測定結果と被検試料を用いて得られた測定結果を比較することにより、被検試料の遊離型PSA量に対するα(2, 3)糖鎖遊離型PSAの比率を決定することができる。
【０１５０】
用いる基準液は、遊離型PSA量に対するα(2, 3)糖鎖遊離型PSA量の比率が、続いて行うPcaの判定を行う際に指標となるような数値のものを用いる。例えば、該比率が25%、45%、50%の基準液を用いればよい。
【０１５１】
該基準液の作成方法としては、例えば以下の方法が挙げられる。
【０１５２】
すなわち、α(2, 3)糖鎖遊離型PSA標準とα(2, 6)糖鎖遊離型PSA標準を、それぞれ適当な緩衝液に溶解し、各溶液の蛋白質量が同じになるように調整する。次いで、α(2, 6)糖鎖遊離型PSA標準溶液でα(2, 3)糖鎖遊離型PSA標準溶液を希釈して、目的の比率となるように調整することにより、基準液を得ることができる。
【０１５３】
２）比率を決定する方法−２
比率を測定する別の方法としては、本発明の判定方法に係る「生体由来試料中の遊離型PSA量及びα(2, 3)糖鎖遊離型PSA量を測定し、得られた遊離型PSA量に対するα(2, 3)糖鎖遊離型PSA量の比率を決定する方法。」があげられる。
【０１５４】
上記方法における遊離型PSA量及びα(2, 3)糖鎖遊離型PSA量の測定方法の詳細は、上記した「（１）遊離型PSA量を測定する方法」及び「（２）α(2, 3)糖鎖遊離型PSA量、又はα(2, 3)糖鎖遊離型PSA量とα(2, 3)糖鎖遊離型PSA以外の遊離型PSA量を測定する方法」に記載した通りである。
【０１５５】
比率を測定する方法−２の具体例としては、例えば、
（ｉ）「生体由来試料中の遊離型PSA量を測定し、またα(2, 3)糖鎖遊離型PSAの糖鎖の末端シアル酸残基が糖鎖の末端から２番目のガラクトース残基にα(2, 3)結合した糖鎖とアフィニティ−物質（レクチン又は抗体）との相互作用によりα(2, 3)糖鎖遊離型PSAと該アフィニティー物質との複合体を生成させた後、該複合体の量を測定し、その結果に基づいてα(2, 3)糖鎖遊離型PSA量を測定する方法により、α(2, 3)糖鎖遊離型PSA量を測定し、得られた遊離型PSA量に対するα(2, 3)糖鎖遊離型PSA量の比率を決定する方法。」、
（ii）「α(2, 3)糖鎖遊離型PSAの糖鎖の末端シアル酸残基が糖鎖の末端から２番目のガラクトース残基にα(2, 3)結合した糖鎖とアフィニティ−物質（レクチン又は抗体）との相互作用によりα(2, 3)糖鎖遊離型PSAと該アフィニティー物質との複合体を生成させた後、該複合体の量を測定し、その結果に基づいてα(2, 3)糖鎖遊離型PSA量とα(2, 3)糖鎖遊離型PSA以外の遊離型PSA量を測定する方法により、α(2, 3)糖鎖遊離型PSA量とα(2, 3)糖鎖遊離型PSA以外の遊離型PSA量を測定し、得られたα(2, 3)糖鎖遊離型PSA量とα(2, 3)糖鎖遊離型PSA以外の遊離型PSA量の総和に対するα(2, 3)糖鎖遊離型PSA量の比率を決定する方法。」、又は
（iii）「アフィニティー物質を用いずにα(2, 3)糖鎖遊離型PSA量、又はα(2, 3)糖鎖遊離型PSA量とα(2, 3)糖鎖遊離型PSA以外の遊離型PSA量を測定する方法によりα(2, 3)糖鎖遊離型PSA量、又はα(2, 3)糖鎖遊離型PSA量とα(2, 3)糖鎖遊離型PSA以外の遊離型PSA量を測定し、得られた遊離型PSA量に対するα(2, 3)糖鎖遊離型PSA量の比率を決定する方法。」
が挙げられる。
【０１５６】
上記（ｉ）〜（ｉｉｉ）の方法において、α(2, 3)糖鎖遊離型PSA量、又はα(2, 3)糖鎖遊離型PSA量とα(2, 3)糖鎖遊離型PSA以外の遊離型PSA量を測定する方法の、α(2, 3)糖鎖遊離型PSAの捕捉効率は80%以上であることが好ましい。
【０１５７】
また、本発明に係るα(2, 3)糖鎖遊離型PSAの捕捉効率は80％以上、好ましくは90％以上、より好ましくは95%以上、更に好ましくは98％以上、特に好ましくは100%である。
【０１５８】
上記方法の中でも(ｉ)又は(ii)の方法が好ましい。
【０１５９】
中でも、
(i)’「生体由来試料中の遊離型PSA量を測定し、またα(2, 3)糖鎖遊離型PSAの糖鎖の末端シアル酸残基が糖鎖の末端から２番目のガラクトース残基にα(2, 3)結合した糖鎖とアフィニティ−物質（レクチン又は抗体）との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量を測定する方法する方法によりα(2, 3)糖鎖遊離型PSA量を測定し、得られた遊離型PSA量に対するα(2, 3)糖鎖遊離型PSA量の比率を決定する方法。」、又は
(ii)’「α(2, 3)糖鎖遊離型PSAの糖鎖の末端シアル酸残基が糖鎖の末端から２番目のガラクトース残基にα(2, 3)結合した糖鎖とアフィニティ−物質（レクチン又は抗体）との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量とα(2, 3)糖鎖遊離型PSA以外の遊離型PSA量を測定する方法によりα(2, 3)糖鎖遊離型PSA量とα(2, 3)糖鎖遊離型PSA以外の遊離型PSA量を測定し、得られたα(2, 3)糖鎖遊離型PSA量とα(2, 3)糖鎖遊離型PSA以外の遊離型PSA量の総和に対するα(2, 3)糖鎖遊離型PSA量の比率を決定する方法。」
が、より好ましい。
【０１６０】
上記(i)’又は(ii)’の方法において、α(2, 3)糖鎖遊離型PSA量、又はα(2, 3)糖鎖遊離型PSA量とα(2, 3)糖鎖遊離型PSA以外の遊離型PSA量を測定する方法の、α(2, 3)糖鎖遊離型PSAの捕捉効率は80%以上であることが好ましい。
【０１６１】
上記の方法であって、アフィニティー物質としてレクチンを用いる上記方法が、より好ましい。
【０１６２】
上記(ii)’の方法であって、アフィニティー物質としてレクチンを用いる方法、すなわち
「α(2, 3)糖鎖遊離型PSAの糖鎖の末端シアル酸残基が糖鎖の末端から２番目のガラクトース残基にα(2, 3)結合した糖鎖と糖鎖の末端シアル酸残基が糖鎖の末端から２番目のガラクトース残基にα(2, 3)結合した糖鎖に親和性を有するレクチンとの相互作用によりα(2, 3)糖鎖遊離型PSAと該レクチンとの複合体を生成させた後、該複合体以外の成分を系内から除去せずに該複合体の量を測定し、その結果に基づいてα(2, 3)糖鎖遊離型PSA量とα(2, 3)糖鎖遊離型PSA以外の遊離型PSA量を測定する方法により、α(2, 3)糖鎖遊離型PSA量とα(2, 3)糖鎖遊離型PSA以外の遊離型PSA量を測定し、得られたα(2, 3)糖鎖遊離型PSA量とα(2, 3)糖鎖遊離型PSA以外の遊離型PSA量の総和に対するα(2, 3)糖鎖遊離型PSA量の比率を決定する方法。」
が、特に好ましい。
【０１６３】
上記の方法において、α(2, 3)糖鎖遊離型PSA量とα(2, 3)糖鎖遊離型PSA以外の遊離型PSA量を測定する方法の、α(2, 3)糖鎖遊離型PSAの捕捉効率は80%以上であることが好ましい。
【０１６４】
なお、本発明において遊離型PSA量に対するα(2, 3)糖鎖遊離型PSA量の比率を求める場合、遊離型PSA量、α(2, 3)糖鎖遊離型PSA量、α(2, 3)糖鎖遊離型PSA以外の遊離型PSA量の絶対量（PSAタンパク質量）を測定しなくてもよい。測定の実測値（蛍光強度、吸光度等のシグナル値、ピーク面積）を用いて、その比率を求めることもできる。例えば、α(2, 3)糖鎖遊離型PSAとα(2, 3)糖鎖遊離型PSA以外の遊離型PSAを分離した場合、各分離画分のピーク面積を求め、α(2, 3)糖鎖遊離型PSA画分のピーク面積／（α(2, 3)糖鎖遊離型PSA画分のピーク面積＋α(2, 3)糖鎖遊離型PSA以外の遊離型PSA画分のピーク面積）を、遊離型PSA量に対するα(2, 3)糖鎖遊離型PSA量の比率とすればよい。
【０１６５】
また、例えば、α(2, 3)糖鎖遊離型PSAとα(2, 3)糖鎖遊離型PSA以外の遊離型PSAを分離し、それぞれを蛍光標識抗PSA抗体を用いて検出した場合、α(2, 3)糖鎖遊離型PSA画分の蛍光量／（α(2, 3)糖鎖遊離型PSA画分の蛍光量＋α(2, 3)糖鎖遊離型PSA以外の遊離型PSA画分の蛍光量）を、遊離型PSA量に対するα(2, 3)糖鎖遊離型PSA量の比率とすることもできる。
【０１６６】
本発明の判定方法に係る「生体由来試料中の遊離型PSA量及びα(2, 3)糖鎖遊離型PSA量を測定し、得られた遊離型PSA量に対するα(2, 3)糖鎖遊離型PSA量の比率を決定する方法。」の具体的な実施態様の例を、以下に記載する。
【０１６７】
以下の実施態様の例において、「糖鎖の末端シアル酸残基が糖鎖の末端から２番目のガラクトース残基にα(2, 3)結合した糖鎖」を便宜的に「標的糖鎖」と記載する場合がある。
【０１６８】
なお、本明細書において「親和性を有する」とは、例えば「結合する」を意味する。また、「親和性に基づいて分離する」とは、例えば、分離する対象を、その「結合の強さの違いに基づいて分離する」ことを意味する。例えば以下の実施態様において、「第１複合体と第２複合体とを該レクチンに対する親和性に基づいて分離する」とは、例えば、「第１複合体と第２複合体とを、第１複合体の該レクチンに対する結合の強さと第２複合体の該レクチンに対する結合の強さの違いに基づいて分離する」ことを意味する。
【０１６９】
（ａ）アフィニティー物質として糖鎖の末端シアル酸残基が糖鎖の末端から２番目のガラクトース残基にα(2, 3) 結合した糖鎖に親和性を有するレクチンを用いる方法
【０１７０】
［方法Ａ］
１）生体由来試料と、PSAに親和性を有し且つ標識物質で標識された抗体（標識抗PSA抗体）と、糖鎖の末端シアル酸残基が糖鎖の末端から２番目のガラクトース残基にα(2, 3) 結合した糖鎖に親和性を有するレクチン（アフィニティー物質）とを接触させて、標識抗PSA抗体とα(2, 3)糖鎖遊離型PSAと該レクチンの複合体（第１複合体）と、標識抗PSA抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識抗PSA抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０１７１】
上記方法Ａに用いられるPSAに親和性を有し且つ標識物質で標識された抗体に係る抗体は、遊離型PSAに特異的に結合する抗体であってもよい。
【０１７２】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１７３】
［方法Ｂ］
１）生体由来試料と、PSAに親和性を有し且つ標識物質で標識された第１抗体と、PSAに親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、標識第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０１７４】
上記方法Ｂに用いられる第１抗体と第２抗体の組合せの例としては、例えば以下の組合せが挙げられる。但し、第１抗体と第２抗体のエピトープは異なることが好ましい。
・第１抗体及び第２抗体がPSAに親和性を有する抗体である。
・第１抗体がPSAに親和性を有する抗体であり、第２抗体が遊離型PSAに特異的に結合する抗体である。
・第１抗体及び第２抗体が遊離型PSAに特異的に結合する抗体である。
・第１抗体が遊離型PSAに特異的に結合する抗体であり、第２抗体がPSAに親和性を有する抗体である。
【０１７５】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１７６】
［方法Ｃ］
１）生体由来試料と、PSAに親和性を有し且つ標識物質で標識された第１抗体と、糖鎖の末端シアル酸残基が糖鎖の末端から２番目のガラクトース残基にα(2, 3) 結合した糖鎖に親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、標識第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、その和に対する上記４）の工程で得られた第１複合体の量の比率を求めることにより、遊離型PSA量に対するα(2, 3)糖鎖遊離型PSA量の比率を決定する工程。
【０１７７】
上記方法Ｃに用いられる第１抗体と第２抗体の組合せの例としては、例えば以下の組合せが挙げられる。但し、第１抗体と第２抗体のエピトープは異なることが好ましい。
・第１抗体がPSAに親和性を有する抗体であり、第２抗体が糖鎖の末端シアル酸残基が糖鎖の末端から２番目のガラクトース残基にα(2, 3) 結合した糖鎖に親和性を有する抗体である。
・第１抗体が遊離型PSAに特異的に結合する標識抗体であり、第２抗体が糖鎖の末端シアル酸残基が糖鎖の末端から２番目のガラクトース残基にα(2, 3) 結合した糖鎖に親和性を有する抗体である。
【０１７８】
また、第１複合体と第２複合体とは、レクチンの標的糖鎖に対する親和性に基づいて分離してもよいし、第１複合体と第２複合体の質量の差に基づいて分離してもよい（例えば電気泳動等）。
［方法Ｄ］
１）生体由来試料と、標識物質で標識された糖鎖の末端シアル酸残基が糖鎖の末端から２番目のガラクトース残基にα(2, 3) 結合した糖鎖に親和性を有する第１抗体と、PSAに親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、標識第１抗体とα(2, 3)糖鎖遊離型PSAと第２抗体と該レクチンの複合体（第１複合体）と、α(2, 3)糖鎖遊離型PSA以外の遊離型PSAと第２抗体の複合体（第２複合体）を形成させる工程、
２）必要に応じ、上記１）で得られた第１複合体と第２複合体とを分離する工程、
３）該複合体を構成する標識抗体の標識物質に由来するシグナルを測定することにより、第１複合体の量を測定し、その測定値をもとにα(2, 3)糖鎖遊離型PSA量を求める工程、
４）予め求めた生体由来試料中の遊離型PSA量に対する上記３）で求めたα(2, 3)糖鎖遊離型PSA量の比率を決定する工程。
【０１７９】
上記方法Ｄに用いられる第２抗体は、遊離型PSAに特異的に結合する抗体であってもよい。
【０１８０】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１８１】
また、上記方法Ｄにおいて、遊離型PSA量は、上記した遊離型PSA量を直接求める方法を実施することによって、求めればよい。また、α(2, 3)糖鎖遊離型PSA量は、予め濃度既知のα(2, 3)糖鎖遊離型PSA標準を用いて同様に測定を行って得られた結果を用いた常法による定量値換算を行って求めればよい。
【０１８２】
［方法Ｅ］（標識抗体を使用しない方法）
１）生体由来試料と、PSAに親和性を有する抗体と、糖鎖の末端シアル酸残基が糖鎖の末端から２番目のガラクトース残基にα(2, 3) 結合した糖鎖に親和性を有するレクチン（アフィニティー物質）とを接触させて、該抗体とα(2, 3)糖鎖遊離型PSAと該レクチンの複合体（第１複合体）と、該抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０１８３】
上記方法Ｅに用いられるPSAに親和性を有する抗体は、遊離型PSAに特異的に結合する抗体であってもよい。
【０１８４】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１８５】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１８６】
［方法Ｆ］（標識抗体を使用しない方法）
１）生体由来試料と、PSAに親和性を有する第１抗体と、遊離型PSAに特異的に結合する第２抗体と、糖鎖の末端シアル酸残基が糖鎖の末端から２番目のガラクトース残基にα(2, 3) 結合した糖鎖に親和性を有するレクチン（アフィニティー物質）とを接触させて、第１抗体とα(2, 3)糖鎖遊離型PSAと第２抗体と該レクチンの複合体（第１複合体）と、第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、その和に対する上記４）の工程で得られた第１複合体の量の比率を求めることにより、遊離型PSA量に対するα(2, 3)糖鎖遊離型PSA量の比率を決定する工程。
【０１８７】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１８８】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１８９】
［方法Ｇ］（標識抗体を使用しない方法）
１）生体由来試料と、PSAに親和性を有する第１抗体と、糖鎖の末端シアル酸残基が糖鎖の末端から２番目のガラクトース残基にα(2, 3) 結合した糖鎖に親和性を有する第２抗体と、糖鎖の末端シアル酸残基が糖鎖の末端から２番目のガラクトース残基にα(2, 3) 結合した糖鎖に親和性を有するレクチン（アフィニティー物質）とを接触させて、第１抗体とα(2, 3)糖鎖遊離型PSAと第２抗体と該レクチンの複合体（第１複合体）と、第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０１９０】
上記方法Ｇに用いられる第１抗体は、遊離型PSAに特異的に結合する抗体であってもよい。
【０１９１】
また、第１複合体と第２複合体とは、レクチンの標的糖鎖に対する親和性に基づいて分離してもよいし、第１複合体と第２複合体の質量の差に基づいて分離してもよい（例えば電気泳動等）。
【０１９２】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０１９３】
（ｂ）アフィニティー物質として糖鎖の末端シアル酸残基が糖鎖の末端から２番目のガラクトース残基にα(2, 3) 結合した糖鎖に親和性を有する抗体を用いる方法
【０１９４】
［方法Ｈ］
１）生体由来試料と、PSAに親和性を有し且つ標識物質で標識された第１抗体と糖鎖の末端シアル酸残基が糖鎖の末端から２番目のガラクトース残基にα(2, 3) 結合した糖鎖に親和性を有する第２抗体（アフィニティー物質）とを接触させて、標識第１抗体とα(2, 3)糖鎖遊離型PSAと第２抗体の複合体（第１複合体）と、標識第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）該複合体を構成する標識第１抗体の標識物質に由来するシグナルを測定することにより、上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０１９５】
上記方法Ｈに用いられる第１抗体は、遊離型PSAに特異的に結合する抗体であってもよい。
【０１９６】
また、第１複合体と第２複合体とは、第２抗体の標的糖鎖に対する親和性に基づいて分離してもよいし、第１複合体と第２複合体の質量の差に基づいて分離してもよい（例えば電気泳動等）。
【０１９７】
［方法Ｉ］
１）生体由来試料と、糖鎖の末端シアル酸残基が糖鎖の末端から２番目のガラクトース残基にα(2, 3) 結合した糖鎖に親和性を有し、且つ標識物質で標識された第１抗体（アフィニティー物質）と、PSAに親和性を有する第２抗体とを接触させて、標識第１抗体とα(2, 3)糖鎖遊離型PSAと第２抗体の複合体（第１複合体）と、α(2, 3)糖鎖遊離型PSA以外の遊離型PSAと第２抗体の複合体（第２複合体）を形成させる工程、
２）必要に応じ、上記１）の工程で得られた第１複合体と第２複合体とを分離する工程、
３）該複合体を構成する標識第１抗体の標識物質に由来するシグナルを測定することにより、第１複合体の量を測定し、その測定値をもとにα(2, 3)糖鎖遊離型PSA量を求める工程、
４）予め求めた生体由来試料中の遊離型PSA量に対する上記３）で求めたα(2, 3)糖鎖遊離型PSA量の比率を決定する工程。
【０１９８】
上記Ｉ方法に用いられる第２抗体は、遊離型PSAに特異的に結合する抗体であってもよい。
【０１９９】
また、第１複合体と第２複合体とは、第１抗体の標的糖鎖に対する親和性に基づいて分離してもよいし、第１複合体と第２複合体の質量の差に基づいて分離してもよい（例えば電気泳動等）。
【０２００】
また、上記方法Ｉにおいて、遊離型PSA量は、上記した遊離型PSA量を直接求める方法を実施することによって、求めればよい。また、α(2, 3)糖鎖遊離型PSA量は、予め濃度既知のα(2, 3)糖鎖遊離型PSA標準を用いて同様に測定を行って得られた結果を用いた常法による定量値換算を行って求めればよい。
【０２０１】
［方法Ｊ］
１）生体由来試料と、PSAに親和性を有し且つ標識物質で標識された第１抗体と、PSAに親和性を有する第２抗体と、糖鎖の末端シアル酸残基が糖鎖の末端から２番目のガラクトース残基にα(2, 3) 結合した糖鎖に親和性を有する第３抗体（アフィニティー物質）とを接触させて、標識第１抗体とα(2, 3)糖鎖遊離型PSAと第２抗体と第３抗体の複合体（第１複合体）と、標識第１抗体とα(2, 3)糖鎖遊離型PSA以外の遊離型PSAと第２抗体の複合体（第２複合体）を形成させる工程、
２）上記２）の工程で得られた第１複合体と第２複合体とを分離する工程、
３）該複合体を構成する標識第１抗体の標識物質に由来するシグナルを測定することにより、上記３）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０２０２】
上記方法Ｊに用いられる第１抗体と第２抗体の組合せの例としては、例えば以下の組合せが挙げられる。但し、第１抗体と第２抗体のエピトープは異なることが好ましい。
・第１抗体及び第２抗体がPSAに親和性を有する抗体である。
・第１抗体がPSAに親和性を有する抗体であり、第２抗体が遊離型PSAに特異的に結合する抗体である。
・第１抗体が遊離型PSAに特異的に結合する抗体であり、第２抗体がPSAに親和性を有する抗体である。
・第１抗体及び第２抗体が遊離型PSAに特異的に結合する抗体である。
【０２０３】
また、第１複合体と第２複合体とは、第３抗体の標的糖鎖に対する親和性に基づいて分離してもよいし、第１複合体と第２複合体の質量の差に基づいて分離してもよい（例えば電気泳動等）。
【０２０４】
［方法Ｋ］
１）生体由来試料と、糖鎖の末端シアル酸残基が糖鎖の末端から２番目のガラクトース残基にα(2, 3) 結合した糖鎖に親和性を有し且つ標識物質で標識された第１抗体（アフィニティー物質）と、PSAに親和性を有する第２抗体と、遊離型PSAに特異的に結合する第３抗体とを接触させて、標識第１抗体とα(2, 3)糖鎖遊離型PSAと第２抗体と第３抗体の複合体（第１複合体）と、α(2, 3)糖鎖遊離型PSA以外の遊離型PSAと第２抗体と第３抗体の複合体（第２複合体）を形成させる工程、
２）必要に応じ、上記１）の工程で得られた第１複合体と第２複合体とを分離する工程、
３）該複合体を構成する標識第１抗体の標識物質に由来するシグナルを測定することにより、第１複合体の量を測定し、その測定値をもとにα(2, 3)糖鎖遊離型PSA量を求める工程、
４）予め求めた生体由来試料中の遊離型PSA量に対する上記３）で求めたα(2, 3)糖鎖遊離型PSA量の比率を決定する工程。
【０２０５】
また、第１複合体と第２複合体とは、第１抗体の標的糖鎖に対する親和性に基づいて分離してもよいし、第１複合体と第２複合体の質量の差に基づいて分離してもよい（例えば電気泳動等）。
【０２０６】
また、上記方法Ｋにおいて、遊離型PSA量は、上記した遊離型PSA量を直接求める方法を実施することによって、求めればよい。また、α(2, 3)糖鎖遊離型PSA量は、予め濃度既知のα(2, 3)糖鎖遊離型PSA標準を用いて同様に測定を行って得られた結果を用いた常法による定量値換算を行って求めればよい。
【０２０７】
［方法Ｌ］（標識抗体を使用しない方法）
１）生体由来試料と、PSAに親和性を有する第１抗体と、糖鎖の末端シアル酸残基が糖鎖の末端から２番目のガラクトース残基にα(2, 3) 結合した糖鎖に親和性を有する第２抗体（アフィニティー物質）とを接触させて、第１抗体とα(2, 3)糖鎖遊離型PSAと第２抗体の複合体（第１複合体）と、第１抗体とα(2, 3)糖鎖遊離型PSA以外の遊離型PSAの複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０２０８】
上記方法Ｌに用いられる第１抗体は、遊離型PSAに特異的に結合する抗体であってもよい。
【０２０９】
また、第１複合体と第２複合体とは、第２抗体の標的糖鎖に対する親和性に基づいて分離してもよいし、第１複合体と第２複合体の質量の差に基づいて分離してもよい（例えば電気泳動等）。
【０２１０】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０２１１】
［方法Ｍ］（標識抗体を使用しない方法）
１）生体由来試料と、PSAに親和性を有する第１抗体と、遊離型PSAに特異的に結合する第２抗体と、糖鎖の末端シアル酸残基が糖鎖の末端から２番目のガラクトース残基にα(2, 3) 結合した糖鎖に親和性を有する第３抗体とを接触させて、第１抗体とα(2, 3)糖鎖遊離型PSAと第２抗体と第３抗体（アフィニティー物質）の複合体（第１複合体）と、第１抗体とα(2, 3)糖鎖遊離型PSA以外の遊離型PSAと第２抗体の複合体（第２複合体）を形成させる工程、
２）上記１）の工程で得られた第１複合体と第２複合体とを分離する工程、
３）上記２）の工程で分離した第１複合体の量及び第２複合体の量を測定する工程、
４）上記３）の工程で得られた第１複合体の量と第２複合体の量の和を求め、その和に対する上記３）の工程で得られた第１複合体の量の比率を求めることにより、遊離型PSA量に対するα(2, 3)糖鎖遊離型PSA量の比率を決定する工程。
【０２１２】
第１複合体と第２複合体とは、第３抗体の標的糖鎖に対する親和性に基づいて分離してもよいし、第１複合体と第２複合体の質量の差に基づいて分離してもよい（例えば電気泳動等）。
【０２１３】
第１複合体の量と第２複合体の量を測定するには、例えば各複合体のPSAタンパク量を測定すればよい。具体的には、第１複合体と第２複合体を電気泳動で分離した場合には、例えば一次抗体として上記した抗PSA抗体を用い、二次抗体として測定可能な標識物質で標識した標識抗体を用いた公知のウエスタンブロッティング法を実施して、分離した各画分の中のPSAタンパク量を測定する方法等が挙げられる。
【０２１４】
上記した実施態様Ａ〜Ｍにおいて、「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量を測定する方法」を実施する方法としては、該複合体以外の成分を測定系から除去するために通常行う洗浄操作を行わずに該複合体の量を測定する方法が挙げられる。
【０２１５】
上記したＡ〜Ｍの方法の中でも、Ａ、Ｂ、Ｅ，Ｆ、及びＨ〜Ｍの方法が好ましい。標識抗体を用いる方法としては、Ｂ及びＩの方法が、より好ましい。標識抗体を用いない方法としては、Ｅ，Ｆ、Ｌ、及びＭの方法が、より好ましい。Ｂ及びＩの方法が、特に好ましい。
【０２１６】
本発明に係る「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体の量を測定し、その結果に基づいてα(2, 3)糖鎖遊離型PSA量、又はα(2, 3)糖鎖遊離型PSA量とα(2, 3)糖鎖遊離型PSA以外の遊離型PSA量を測定する方法」の具体例としては、例えばELISA、RIAが挙げられる。
【０２１７】
本発明にかかる「α(2, 3)糖鎖遊離型PSAの糖鎖の末端シアル酸残基が糖鎖の末端から２番目のガラクトース残基にα(2, 3)結合した糖鎖とアフィニティ−物質との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量を測定する方法」の具体例としては、例えばキャピラリー電気泳動、表面プラズモン共鳴法、質量分析、又はレクチンマイクロアレイ等）等が挙げられる。
【０２１８】
以下に、それぞれの方法により「α(2, 3)糖鎖遊離型PSAの糖鎖の末端シアル酸残基が糖鎖の末端から２番目のガラクトース残基にα(2, 3)結合した糖鎖とアフィニティー物質との相互作用を利用してα(2, 3)糖鎖遊離型PSAと該アフィニティー物質との複合体を生成させた後、（該複合体以外の成分を系内から除去せずに）該複合体の量を測定し、その結果に基づいてα(2, 3)糖鎖遊離型PSA量を測定し、得られた遊離型PSA量に対するα(2, 3)糖鎖遊離型PSA量の比率を決定する方法」の具体例を説明する。
【０２１９】
α(2, 3)糖鎖遊離型PSAの捕捉効率の確認方法は、上記した通りであるが、例えばアフィニティー物質を用いる場合は、以下のように行えばよい。
【０２２０】
アフィニティー物質とα(2, 3)糖鎖遊離型PSA標準を下記の方法で反応させる。反応後、α(2, 3)糖鎖遊離型PSAとアフィニティー物質とが複合体形成した画分と未反応画分を分離し、それぞれの画分の標的糖鎖の量を質量分析装置で分析する。捕捉効率は、複合体形成した画分の標的糖鎖の量／（複合体形成した画分の標的糖鎖の量＋未反応画分の標的糖鎖の量）を求めることによって、得られる。
【０２２１】
なお、下記方法それぞれについて、捕捉効率の求め方の例を記載するが、その方法に限定されるものではない。
【０２２２】
キャピラリー電気泳動
キャピラリー電気泳動によりα(2, 3)糖鎖遊離型PSA量を求め、遊離型PSA量に対するα(2, 3)糖鎖遊離型PSA量の比率を決定する方法としては、例えばまずPSAを含有する生体由来試料と、本発明に係る抗PSA抗体（好ましくは抗遊離型PSA抗体）を標識物質で標識した標識抗PSA抗体とを接触・反応させ、得られた反応液中の[標識抗PSA抗体−α(2, 3)糖鎖遊離型PSA]複合体と[標識抗PSA抗体−α(2, 3)糖鎖遊離型PSA以外の遊離型PSA]複合体とを、アフィニティー物質の存在下でキャピラリー電気泳動を実施することにより分離し、[標識抗PSA抗体−α(2, 3)糖鎖遊離型PSA]複合体１由来の標識物質の量、及び[標識抗PSA抗体−α(2, 3)糖鎖遊離型PSA以外の遊離型PSA]複合体２由来の標識物質の量を測定する。試料中の遊離型PSA量は、複合体１と複合体２の標識物質の量の和とする。そして、そして、得られた遊離型PSA量に対するα(2, 3)糖鎖遊離型PSA量の比率を求める。
【０２２３】
複合体１由来の標識物質の量及び複合体２由来の標識物質の量は、キャピラリー電気泳動で得られたそれぞれのピーク面積値に対応するので、それぞれのピーク面積値を使用して、該比率を求めればよい。
【０２２４】
上記の方法に用いられる標識抗PSA抗体の抗PSA抗体及びその標識物質の具体例は、上記した通りである。
【０２２５】
生体由来試料と標識抗PSA抗体（好ましくは抗遊離型PSA抗体）とを反応させる際の溶媒としては、例えば緩衝液が挙げられる。そのために用いられる緩衝液としては、通常この分野で使用されるものであれば特に限定されないが、通常pH 5.0〜10.0、好ましくはpH 6.5〜8.5の中性付近に緩衝作用を有するものが挙げられる。具体的には、例えばTris-HCl緩衝液、MES緩衝液、HEPES緩衝液、ホウ酸緩衝液、リン酸緩衝液、ベロナール緩衝液、グッド緩衝液等が挙げられる。また、これらの緩衝液の緩衝剤濃度としては、通常5〜1000 mM、好ましくは5〜300 mMの範囲から適宜選択される。
【０２２６】
該緩衝液には、更に増感剤、界面活性剤、防腐剤（例えばアジ化ナトリウム、サリチル酸、安息香酸等）、安定化剤（例えばアルブミン、グロブリン、水溶性ゼラチン、界面活性剤、糖類等）、賦活剤その他この分野で用いられているものであって、共存する試薬との安定性を阻害したり、抗原抗体反応を阻害しないものを有していてもよい。またこれら試薬類等の濃度範囲等も、自体公知の該測定方法において通常用いられる濃度範囲等を適宜選択して用いればよい。
【０２２７】
キャピラリー電気泳動装置専用の市販のキットを用いる場合は、該キットに添付の緩衝液を用いてもよい。
【０２２８】
標識抗PSA抗体を含有する溶液中の該抗体の濃度は、試料と標識抗PSA抗体を含有する溶液を混合したときに目的の濃度範囲内になるような濃度であればよい。例えば0.1〜200μM、好ましくは0.5〜50μM、より好ましくは0.5〜20μM、更に好ましくは0.5〜10μMであればよい。すなわち、下限値は0.1μM、好ましくは0.5μMである。またその上限値は200μM、好ましくは50μM、より好ましくは20μM、更に好ましくは10μMである。
【０２２９】
生体由来試料と本発明に係る標識抗PSA抗体を接触・反応させる際の本発明に係る標識抗PSA抗体の反応液中の濃度は、試料中のPSAの濃度により異なり、特に限定されないが、通常0.1〜1000nM、好ましくは0.1〜500nM、より好ましくは0.5〜200nMである。すなわち、下限値は0.1nM、好ましくは0.5nMである。またその上限値は1000nM、好ましくは500nM、より好ましくは200nMである。
【０２３０】
また、生体由来試料と本発明に係る標識抗PSA抗体の反応時のpHとしては、抗原抗体反応を抑制しない範囲であれば特に限定されず、通常6.0〜10.0、好ましくは6.0〜8.0の範囲が挙げられ、反応時の温度も抗原抗体反応を抑制しない範囲であれば特に限定されず、通常10〜50℃、好ましくは20〜40℃の範囲が挙げられる。また、その反応時間は、用いられる本発明に係る抗体並びにpH及び温度等の反応条件により異なるので、各々に応じて１〜60分、好ましくは1〜15分程度で反応させればよい。
【０２３１】
反応後、得られた反応液中の[標識抗PSA抗体−α(2, 3)糖鎖遊離型PSA]複合体と[標識抗PSA抗体−α(2, 3)糖鎖遊離型PSA以外の遊離型PSA]複合体とを、アフィニティー物質の存在下でキャピラリー電気泳動を実施することにより分離し、[標識抗PSA抗体−α(2, 3)糖鎖遊離型PSA]複合体の量を測定する。
【０２３２】
本発明においては、キャピラリー電気泳動の中でも、キャピラリーチップで行われる電気泳動を実施することが好ましい。（マイクロ）チップキャピラリー電気泳動とは、チップ基板上に断面の直径100μm以下のキャピラリーを形成させ、このキャピラリー中で電気泳動を行なう技術であり、キャピラリー内に電圧をかけることによってサンプル内に存在する物質の電荷の差をその移動度の差として分離する方法である。
【０２３３】
キャピラリー電気泳動は、用いられる泳動溶液により、キャピラリーゾーン電気泳動やキャピラリーゲル電気泳動に分類されるが、本発明の方法は何れにも適用し得る。分離の精度を考慮すると、上記の中でもキャピラリーゲル電気泳動が好ましい。
【０２３４】
本発明に係るキャピラリー電気泳動で用いられる泳動溶液としては、通常この分野で用いられているものであればよく、特に限定されないが、具体的には、例えばpH5〜10、好ましくは6〜8の緩衝液が挙げられる。緩衝液としては、具体的には例えばTris-HCl緩衝液、HEPES緩衝液、乳酸緩衝液、クエン酸緩衝液、酢酸緩衝液、コハク酸緩衝液、グリシン緩衝液、フタル酸緩衝液、リン酸緩衝液、トリエタノールアミン緩衝液、ホウ酸緩衝液、グリシン緩衝液、バルビツール緩衝液、酒石酸緩衝液、ホウ酸緩衝液等を挙げることができるがこれらに限定されるものではない。これらの緩衝液中の緩衝剤濃度としては、通常10〜500 mM、好ましくは10〜300 mMの範囲から適宜選択される。
【０２３５】
また、上記泳動溶液には、電気浸透流の影響を減らすための物質、例えばポリエチレングリコール、ポリアクリルアミド、ポリエチレンイミン、含フッ素芳香族炭化水素、糖類等を含んでいてもよく、その濃度は通常この分野で用いられる範囲で設定されればよい。また、この緩衝液中には、抗原抗体反応及び糖鎖とアフィニティー物質との相互作用を妨げない量であれば、例えばNaCl等の塩類、界面活性剤、防腐剤、BSA等のタンパク質等が含まれていても良い。
【０２３６】
また、キャピラリーゲル電気泳動の場合、例えばポリエチレンオキサイド（ポリエチレングリコール），ポリプロピレンオキサイド等のポリエーテル類、例えばポリエチレンイミン等のポリアルキレンイミン、例えばポリアクリル酸，ポリアクリル酸エステル，ポリアクリル酸メチル等のポリアクリル酸系ポリマー、例えばポリアクリルアミド，ポリメタクリルアミド等のポリアミド系ポリマー、例えばポリメタクリル酸，ポリメタクリル酸エステル，ポリメタクリル酸メチル等のポリメタクリル酸系ポリマー、例えばポリビニルアセテート，ポリビニルピロリドン，ポリビニルオキサゾリドン等のポリビニル系ポリマー、例えばプルラン，エルシナン，キサンタン，デキストラン，グアガム等の水溶性ヒドロキシルポリマー、例えばメチルセルロース，ヒドロキシエチルセルロース，ヒドロキシプロピルセルロース等の水溶性セルロース化合物、これらの誘導体、及びこれらポリマーを構成するモノマーユニットを複数種含有するコポリマー等のポリマーを、上記キャピラリー電気泳動の泳動溶液として用いられる緩衝液に添加したもの等が挙げられる。
【０２３７】
上記ポリマーは、２種以上を組み合わせて添加してもよい。また、上記した如きポリマーの分子量としては、通常500Da〜6000kDa、好ましくは１〜1000kDa、より好ましくは100〜1000kDaである。また、上記ポリマーの濃度は、通常この分野で用いられている範囲から適宜選択すればよく、通常0.01〜40％（w/v）、好ましくは0.01〜20％（w/v）、より好ましくは0.1〜10％（w/v）である。なお、上記充填剤を泳動用緩衝液に添加した際の、泳動用緩衝液の粘度は、通常２〜1000センチポアズ、好ましくは５〜200センチポアズ、より好ましくは10〜100センチポアズである。
【０２３８】
アフィニティー物質は、泳動溶液に含有させればよい。但し、キャピラリー電気泳動により分離する間、アフィニティー物質はα(2, 3)糖鎖遊離型PSAと該アフィニティー物質とが完全に結合することが出来る量よりも高濃度であることが望ましい。
【０２３９】
例えば、アフィニティー物質がレクチンの場合、0.1 mg/mL〜20 mg/mL、好ましくは1.0mg/mL〜10mg/mL、更に好ましくは2.0mg/mL〜5.0mg/mLである。、アフィニティー物質が抗体の場合、0.01 mg/mL〜20 mg/mL、好ましくは0.05mg/mL〜10mg/mL、更に好ましくは0.1mg/mL〜5.0mg/mLである。
【０２４０】
MAAのマイクロ流路内での濃度は、0.1 mg/mL〜20 mg/mLであればよい。
【０２４１】
キャピラリー電気泳動によって複合体を分離する場合、アフィニティー物質としてレクチンを用いる場合でも抗体を用いる場合でも、測定系に使用するいずれかの抗体は、陰イオン性物質等の荷電キャリヤー分子で標識されていることが好ましい。具体的には、例えば核酸鎖で標識されていることが好ましい。この場合、抗体は荷電キャリヤー分子と上記した検出に係る標識物質の両方で標識されていてもよい。
【０２４２】
このような目的に使用される核酸鎖は、プリン塩基又はピリミジン塩基、糖部分であるペントース、及びリン酸からなるヌクレオチド残基を基本単位とし、このリン酸が各ヌクレオチド間が糖の３'と５'位炭素の間でジエステル結合によって結ばれ重合した鎖状のポリヌクレオチドであり、例えば糖部分がリボースであるRNA又は／及び糖部分がデオキシリボースであるDNAが挙げられる。また、当該核酸鎖は、１本鎖でも、２本鎖ないしこれ以上の複数の核酸鎖からなるものであってもよい。
【０２４３】
使用される核酸鎖の長さとしては、本発明の目的を達成し得るものであればよく、通常１bp〜1000kbp、好ましくは５bp〜100kbp、より好ましくは10bp〜50kbp、更に好ましくは50bp〜2500bpである。
【０２４４】
核酸鎖と本発明に係る抗体を結合させる方法としては、例えば特許第４２１４７７９号、特許第４８６２０９３号等に開示された公知の方法が挙げられる。
【０２４５】
例えば抗体及び核酸鎖が夫々有する官能基を、直接又はリンカー[例えばスルホサクシニミジル 4-（p-マレイミドフェニル）ブチレイト（Sulfo-SMPB）、スルホサクシニミジル4-（N-マレイミドメチル）シクロヘキサン-1-カルボキシレイト（Sulfo-SMCC）、N-（ε-マレイミドカプロイルオキシ）スクシンイミド（EMCS）、等]等を介して結合させればよい。
【０２４６】
また、核酸鎖に予め反応性官能基を導入した後、特許第４２１４７７９号に記載の方法により本発明に係る抗体と反応性官能基導入核酸鎖を結合させてもよい。核酸鎖へ反応性官能基を導入する方法としては、自体公知の方法が挙げられる。
【０２４７】
また、核酸鎖と抗体を結合させる方法として、例えば、５'末端に反応性官能基を導入したPCRプライマーを用いてPCRを行い、PCR産物として5’末端に反応性官能基が導入された核酸鎖を得る方法（モレキュラー クローニング ア ラボラトリー マニュアル セカンド エディション、J. サムブルック, E. F. フリッシュ, T. マニアティス、コールド スプリング ハーバー ラボラトリー プレス等）等により核酸末端へ反応性官能基を導入することができる。
【０２４８】
キャピラリー電気泳動に供せられる試料、抗体等を溶解させる溶液としては、例えばトリス緩衝液、BisTris緩衝液、グッド緩衝液、HEPES緩衝液、グリシン緩衝液、ホウ酸緩衝液、リン酸緩衝液、ベロナール緩衝液、MOPS緩衝液等が挙げられる。また、これらの緩衝液中の緩衝剤濃度としては、通常10〜500 mM、好ましくは10〜300 mMの範囲から適宜選択される。また、そのpHとしては抗原抗体反応及び糖鎖とアフィニティー物質との反応を妨げない範囲であれば特に限定されないが、通常5〜9の範囲が好ましい。該溶液中には、抗原抗体反応及び糖鎖とアフィニティー物質との反応を妨げない量であれば、例えば糖類、NaCl等の塩類、界面活性剤、防腐剤、タンパク質等が含まれていても良い。
【０２４９】
本発明に係るキャピラリー電気泳動における試料（[標識抗PSA抗体−遊離型PSA]複合体を含有する溶液）の導入方法は通常この分野でなされている方法であればよく、特に限定されないが、例えば吸引法、加圧法、電気的導入法等が挙げられ、中でも加圧法が好ましい。試料の導入量は、キャピラリーの内径や長さ、検出器の種類や感度等の条件により異なる。
【０２５０】
通常、試料は、自体公知の等速電気泳動（ITP）により濃縮した後、その濃縮物をそのままキャピラリー電気泳動(CE)に導入してもよい。この場合、例えばマイクロチップ電気泳動で行う場合には、ITP電気泳動とCE電気泳動とが連結しているチップを用い、連続してITP電気泳動、CE電気泳動を行うのが望ましい。
【０２５１】
キャピラリー電気泳動の具体的な条件は、自体公知の方法に準ずればよい。例えばキャピラリー電気泳動を用いる場合には、Ｊ.Chromatogr. 593 253−258 （1992）、Anal.Chem. 64 1926−1932 （1992）、WO2007/027495等に記載の方法に準じて行えばよい。
【０２５２】
本発明に係る電気泳動における泳動時の電圧は、泳動溶液や用いられる装置等により異なるため通常この分野で用いられている範囲から適宜設定されればよい。
【０２５３】
キャピラリー電気泳動を自動分析装置で行う場合は、該装置に添付の取扱説明書に記載の条件で、該取扱説明書に記載の方法に従って、キャピラリー電気泳動を実施すればよい。
【０２５４】
本発明のα(2, 3)糖鎖遊離型PSAの測定方法の具体例として、アフィニティー物質としてMAAを用い、標識抗PSA抗体として抗遊離型PSA抗体を蛍光物質で標識した標識第１抗体を用い、抗PSA抗体をDNAで標識した第２抗体を用いて、レクチン親和性を利用したマイクロチップキャピラリー電気泳動を行い、PSAの糖鎖に対するレクチンの親和性の程度に基づいてPSAを分離し、蛍光検出器で測定する方法を以下に示す。
【０２５５】
すなわち、PSAを含有する生体由来試料１〜50μLと、通常0.001〜10μM、好ましくは0.01〜1μMの蛍光標識抗遊離型PSA抗体を含有する試液とを反応させる。
【０２５６】
キャピラリー電気泳動に用いられる生体由来試料は、生体から採取した試料であってもよいし、生体から採取した試料を脱塩や各種の精製工程を得て調製した試料であってもよい。
【０２５７】
得られた反応液と、通常0.001〜10μM、好ましくは0.01〜1μMのDNA標識抗PSA抗体を含有する試液2〜50μLと、泳動用緩衝液と、内部標準物質（例えば蛍光物質：HiLyte647（AnaSpec社製）等）を、1〜10psiで30〜60秒の加圧法により、例えば、内径5〜500μm、好ましくは50〜200μm、より好ましくは50〜100μm、長さ１〜10cmのキャピラリーに導入する。20〜40℃保温下に5秒〜30分、好ましくは10秒〜15分反応させる。得られた[蛍光標識抗遊離型PSA抗体−α(2, 3)糖鎖遊離型PSA−DNA標識抗PSA抗体]の複合体と[蛍光標識抗遊離型PSA抗体−α(2, 3)糖鎖遊離型PSA以外の遊離型PSA−DNA標識抗PSA抗体]の複合体とを、MAA（0.1 mg/mL〜20 mg/mL）の存在下に1000〜5000Vの電圧を10秒〜60分印加することにより電気泳動を行って、分離する。そして、複合体の泳動状態を蛍光検出器やUV検出器等の検出器により測定してエレクトロフェログラムを得る。
【０２５８】
α(2, 3)糖鎖遊離型PSAのピーク（［蛍光標識抗遊離型PSA抗体］−［α(2, 3)糖鎖遊離型PSA］−［DNA標識抗PSA抗体］の複合体を含む）と、その他の遊離型PSAのピーク（［蛍光標識抗遊離型PSA抗体］−［α(2, 3)糖鎖遊離型PSA以外の遊離型PSA］−［DNA標識抗PSA抗体］の複合体を含む）は、その泳動位置から区別することが出来る。そこで、試料中のα(2, 3)糖鎖遊離型PSA量はそのピークのピーク面積とする。また、得られたα(2, 3)糖鎖遊離型PSAのピーク面積と、α(2, 3)糖鎖遊離型PSA以外の遊離型PSAのピーク面積の和を遊離PSA量とする。
【０２５９】
以上のように、キャピラリー電気泳動を用いれば、遊離型PSA量とα(2, 3)糖鎖遊離型PSA量とを、同一検体で一度に測定し、決定することができる。
【０２６０】
遊離型PSA量に対するα(2, 3)糖鎖遊離型PSA量の比率は、得られたピーク面積の比率（α(2, 3)糖鎖遊離型PSAのピーク面積／遊離型PSA量）を求めることにより得られる。
【０２６１】
キャピラリー電気泳動は、市販の全自動測定装置を用いて行ってもよい。例えばミュータスワコーi30（和光純薬工業(株)製）等が挙げられる。
【０２６２】
アフィニティー物質としてMAAを用い、標識抗PSA抗体として抗遊離型PSA抗体を蛍光物質で標識した標識第１抗体を用い、抗PSA抗体をDNAで標識した第２抗体を用い、全自動蛍光免疫測定装置ミュータスワコー i30（和光純薬工業（株））を用い、レクチン親和性を利用したマイクロチップキャピラリー電気泳動を行って、PSAを測定する原理を以下に簡単に説明する。
【０２６３】
まず、試料中のPSAと蛍光標識抗遊離型PSA抗体を液相中で反応させると、PSAは蛍光標識抗遊離型PSA抗体と結合して、［蛍光標識抗遊離型PSA抗体−遊離型PSA］の複合体を形成する。
【０２６４】
この［蛍光標識抗遊離型PSA抗体−遊離型PSA］複合体を含有する溶液（泳動用試料Ａ）を全自動蛍光免疫測定装置ミュータスワコー i30の専用チップ上の所定ウェル（免疫反応液ウェル）に分注する。次いで、泳動緩衝液２(R2ウェル)（MAAを含有）、泳動緩衝液３(R3ウェル)、泳動緩衝液４(R4ウェル)、DNA標識抗体液(C1ウェル)及び蛍光液(FDウェル)も、専用チップ上の所定ウェルに分注する。
【０２６５】
専用チップ（マイクロチップ）の模式図を図３に模式的に示す。
【０２６６】
図３においてWasteウェルは、R2、R3、R4、C1及び泳動用試料Ａを分析用流路に導入する際の廃液だめ（ドレイン用ウェル）として使用する。
【０２６７】
泳動用試料Ａ及び各試液を各ウェルに分注後、電圧を掛ける。するとC1ウェルに分注したDNA標識抗PSA抗体は、等速電気泳動の原理に従い、陽極方向に濃縮されながら移動する。次いで濃縮されたDNA標識抗PSA抗体は泳動用試料Ａ中の［蛍光標識抗遊離型PSA抗体−遊離型PSA］複合体と結合し、以下の複合体１及び複合体２が形成される。
【０２６８】
複合体１
［蛍光標識抗遊離型PSA抗体］-［α(2, 3)糖鎖遊離型PSA］-［DNA標識抗PSA抗体］
【０２６９】
複合体２
［蛍光標識抗遊離型PSA抗体］-［α(2, 3)糖鎖遊離型PSA以外の遊離型PSA］-［DNA標識抗PSA抗体］
【０２７０】
更に電気泳動を続けると、上記の複合体１及び複合体２と、フリーのDNA標識抗PSA抗体は、更にアニオンの荷電により陽極方向に移動する。未反応の蛍光標識抗遊離型PSA抗体はDNA標識PSA抗体と結合していないので荷電がないため、更に陽極方向へは移動しない。
【０２７１】
次に、R2ウェルに分注したMAAを含む電気泳動ゾーンに移動した複合体中、複合体１は、ゾーン中に含まれるMAAと相互作用するが、複合体２はMAAと相互作用しない。
【０２７２】
そこで、複合体１の方が複合体２よりも遅く泳動されるので、検出される蛍光標識抗PSA抗体由来の蛍光のピークの出現位置が複合体１と複合体２とで異なる。そこで、ピークの位置より、複合体１のピーク及び複合体２のピークをそれぞれ知ることが出来る。
【０２７３】
各ピークのPSA量は、各ピークのピーク面積を求めることにより、得ることができる。
【０２７４】
遊離型PSA量に対するα(2, 3)糖鎖遊離型PSA量の比率は、得られたピーク面積の比率（α(2, 3)糖鎖遊離型PSAのピーク面積／遊離型PSA量）を求めることにより得られる。
【０２７５】
キャピラリー電気泳動法において、α(2, 3)糖鎖遊離型PSAの捕捉効率を求める方法としては、例えば以下の方法が挙げられるが、これに限定されない。
【０２７６】
アフィニティー物質と濃度既知のα(2, 3)糖鎖遊離型PSA標準を用い、上記したキャピラリー電気泳動を実施した際、当該糖鎖とアフィニティー物質との相互作用により泳動移動度がシフトした複合体１（［蛍光標識抗遊離型PSA抗体］-［α(2, 3)糖鎖遊離型PSA］-［DNA標識抗PSA抗体］）のピーク面積を求める（測定値１）。
【０２７７】
別に、アフィニティー物質を用いずに、濃度既知のα(2, 3)糖鎖遊離型PSA標準を用いて、上記したキャピラリー電気泳動を実施することにより、複合体１（［蛍光標識抗遊離型PSA抗体］-［α(2, 3)糖鎖遊離型PSA］-［DNA標識抗PSA抗体］）のピーク面積を求める（測定値２）。
【０２７８】
得られた測定値２に対する測定値１の比率（測定値１／測定値２）を求め、得られた比率を、本法におけるα(2, 3)糖鎖遊離型PSAの捕捉効率とする。
【０２７９】
表面プラズモン共鳴法
表面プラズモン共鳴法は、表面プラズモンが金属／液体界面で励起した場合に起こる、いわゆる表面プラズモン共鳴（Surface Plasmon Resonance ＝ SPR）の光学現象を利用して生体分子間の相互作用を解析する分子間相互作用解析システムである。表面プラズモン共鳴法は、表面プラズモン共鳴分光装置を用いて、2分子間の結合と解離にともなってセンサーチップ表面で生じる微量な質量変化をSPR シグナルとして検出する。生体分子間の相互作用をリアルタイムにモニターするので、生体分子間の結合・解離が早い・遅いというカイネティクス情報が得られる。
【０２８０】
表面プラズモン共鳴法の代表的な分析システムとして、ビアコアＴＭ法がある。ビアコア法は、一般には単にビアコア（Biacore）と呼ばれる。また、「ビアコア」といった場合、ビアコアの分析システムに用いられるビアコア機器を指すこともある。
【０２８１】
表面プラズモン共鳴法での測定は、添付の使用説明書に従って、その測定にとって至適な条件で行えばよい。
【０２８２】
表面プラズモン共鳴法により本発明の判定方法を実施するには、例えば以下の方法が挙げられる。
【０２８３】
すなわち、センサーチップの表面に抗PSA抗体を固定化する。検出光をセンサーチップの裏側からセンサーチップの金薄膜とガラスの境界面で全反射するように当てると、反射光の一部に反射強度が低下した部分があらわれる。この光の暗い部分が現れる角度はセンサーチップ表面の溶媒の屈折率に依存する。次に生体由来試料を表面プラズモン共鳴分光装置の流路からセンサーチップの表面に流す。金薄膜表面に固定化した抗PSA抗体と流路を流れてきた生体由来試料に含まれるPSA分子とが結合すると、金薄膜表面に固定化した分子の質量が増加し、溶媒の屈折率が変化する。このとき、反射光の暗い部分は質量の変化に応じて位置がシフトする。逆に分子同士が解離すると、暗い部分の位置がシフトした位置から戻る。そのシフトする角度はセンサーチップの表面の質量変化を表す。表面プラズモン共鳴法ではこの角度変化から、分子間の結合・解離をモニターする。得られた結果を基に、まず生体由来試料中の遊離型PSA量を測定することが出来る。
【０２８４】
次いで、アフィニティー物質を含有する溶液を表面プラズモン共鳴分光装置の流路からセンサーチップの表面に流す。金薄膜表面に生成した「抗PSA抗体PSAの複合体」のPSAと流路を流れてきたアフィニティー物質が結合すると、同様に溶媒の屈折率が変化するので、同様に分子間の結合・解離をモニターする。得られた結果を基に、生体由来試料中のα(2, 3)糖鎖遊離型PSA量を測定することが出来る。
【０２８５】
得られた生体由来試料中の遊離型PSA量に対するα(2, 3)糖鎖遊離型PSA量の比率を決定する。
【０２８６】
表面プラズモン共鳴法で生体由来試料中の遊離型PSA量に対するα(2, 3)糖鎖遊離型PSAの比率を測定する方法としては、例えば以下の方法が挙げられる。
【０２８７】
すなわち、α(2, 3)糖鎖遊離型PSA標準を用いて予め作製した、遊離型PSA量に対するα(2, 3)糖鎖遊離型PSA量の比率がわかっている基準液１種以上を用いて表面プラズモン共鳴法による測定を行い、それぞれのセンサーグラムを得る。次いで、被検試料を用いて同様に測定を行い、センサーグラムを得る。基準液を用いて得られたセンサーグラムと被検試料を用いて得られたたセンサーグラムを比較することにより、被検試料の遊離型PSA量に対するα(2, 3)糖鎖遊離型PSAの比率を決定する。用いる基準液は、遊離型PSA量に対するα(2, 3)糖鎖遊離型PSA量の比率が、続いて行うPcaの判定を行う際に指標となるような数値のものを用いる。例えば、該比率が25%、45%、50%の基準液を用いればよい。
【０２８８】
該基準液の作成方法の例は、上記した通りである。
【０２８９】
表面プラズモン共鳴法におけるα(2, 3)糖鎖遊離型PSA量の捕捉効率を求める方法としては、例えば以下の方法が挙げられるが、これに限定されない。
【０２９０】
すなわち、センサーチップの表面に、アフィニティー物質を固定化する。次に、濃度既知のα(2, 3)糖鎖遊離型PSA標準を含有する試料を表面プラズモン共鳴分光装置の流路からセンサーチップの表面に流す。以上の間、表面プラズモン共鳴法による測定を行い、センサーグラムを得る。センサーグラムのピークの値を決定する（測定値１）。
【０２９１】
別に、測定値１を得るために使用したものと同じ濃度のα(2, 3)糖鎖遊離型PSA標準を含有する試料を、表面プラズモン共鳴分光装置の流路から、抗PSA抗体を固定化したセンサーチップの表面に流す。以上の間、表面プラズモン共鳴法による測定を行い、センサーグラムを得る。センサーグラムのピークの値を決定する（測定値２）。
【０２９２】
なお、この方法で捕捉効率を求める場合には、測定値２を得るために使用する抗PSA抗体には、解離定数等を勘案して、抗原との十分な特異性および親和性を有するものを選択する必要がある。
【０２９３】
得られた測定値２に対する測定値１の比率（測定値１／測定値２）を求め、得られた比率を、本法におけるα(2, 3)糖鎖遊離型PSAの捕捉効率とする。
【０２９４】
マイクロアレイ法
産業技術総合研究所糖鎖医工学研究センター等の開発したレクチンマイクロアレイ法も、本発明の判定法に用いることが出来る。
【０２９５】
レクチンアレイ（レクチンマイクロアレイ）とは、特異性の異なる数十種の糖鎖と結合する性質を持つタンパク質であるレクチンをスライドガラス上にスポット状に並べて固定化したアレイである。また、エバネッセント場とは微弱な光が基板（スライドガラス）界面からしみ出る状態のことをいう。蛍光標識した糖タンパク質とレクチンマイクロアレイとを相互作用させた後、スライドガラスに励起光を照射してエバネッセント場を発生させる。励起光が届くのは界面から100nm〜200nm程度であり、レクチンと結合した糖鎖が存在するのも界面から100nm〜200nmなので、レクチンアレイに結合した糖鎖だけを発光できる。この技術により、洗浄操作を行うことなく、レクチンアレイの蛍光を検出できる。糖タンパク質を蛍光標識せずにレクチンマイクロアレイと相互作用させた後、糖タンパク質のコアタンパク質に対する抗体を蛍光標識した蛍光抗体と反応させた後、上記と同様の方法で蛍光を検出してもよい。
【０２９６】
レクチンマイクロアレイによる測定は、例えばMICROARRAY METHODS AND PROTOCOLS（CRC Press）, edited by Robert S. Matson, “Chapter 9：Lectin Microarrays”, Masao Yamada, p.141, 2009に記載のプロトコルに従って実施すればよい。
【０２９７】
レクチンマイクロアレイの技術を利用して本発明に係るα(2, 3)糖鎖遊離型PSA量を測定し、遊離型PSA量に対するα(2, 3)糖鎖遊離型PSA量の比率を決定するには、例えば以下の通り行えばよい。
【０２９８】
本発明に係るアフィニティー物質であるレクチンと、糖鎖の末端シアル酸残基が糖鎖の末端から２番目のガラクトース残基にα(2, 3)結合した糖鎖以外の、PSAの糖鎖に親和性を有する複数のレクチンを固定化したマイクロアレイを作製する。目的のマイクロアレイは、例えばKuno A. et al., Nat Methods. 2005 Nov, vol.2, No.11, pp.851-856に記載の方法に順じて作製すればよい。あるいは、市販のマイクロアレイ（LecChipTM(株)グライコテクニカ製)等を使用してもよい。
【０２９９】
必要に応じ前処理した生体由来試料と蛍光標識抗遊離型PSA抗体をマイクロアレイに滴下して反応させて、マイクロアレイ上に[蛍光標識抗遊離型PSA抗体−α(2, 3)糖鎖遊離型PSA−レクチン]の複合体を形成させる。次いで、蛍光標識抗遊離型PSA抗体由来の蛍光をエバネッセント波励起蛍光型スキャナーを用いて測定する。濃度既知のα(2, 3)糖鎖遊離型PSA標準を用いて同様に測定を行い、得られた測定値をもとに定量値換算することによって、試料中のα(2, 3)糖鎖遊離型PSA量を求める。
【０３００】
別途求めた遊離型PSAの量に対する、マイクロアレイ法で測定したα(2, 3)糖鎖遊離型PSA量の比率を決定する。
【０３０１】
遊離型PSAの量の測定方法は、上記した「（１）遊離型PSA量を測定する方法」に記載した通りである。
【０３０２】
レクチンマイクロアレイ法におけるα(2, 3)糖鎖遊離型PSA量の捕捉効率を求める方法としては、例えば以下の方法が挙げられるが、これに限定されない。
【０３０３】
PSAの糖鎖の末端シアル酸残基が糖鎖の末端から２番目のガラクトース残基にα(2, 3)結合した糖鎖に親和性を有するレクチンを固定化したレクチンマイクロアレイに、濃度既知のα(2, 3)糖鎖遊離型PSA標準を含有する試料を上記固相と接触・反応させる。一方、その未反応画分（洗浄画分を含む）を回収し、当該画分に残存するα(2, 3)糖鎖遊離型PSA濃度を、公知のPSA測定法で測定する。
【０３０４】
本法におけるα(2, 3)糖鎖遊離型PSAの捕捉効率は、以下の式より求めることが出来る。
[測定に供したα(2, 3)糖鎖遊離型PSA標準の濃度−未反応画分（洗浄画分を含む）中のα(2, 3)糖鎖遊離型PSAの濃度]／測定に供したα(2, 3)糖鎖遊離型PSA標準の濃度
【０３０５】
ELISA
ELISAによりα(2, 3)糖鎖遊離型PSA量を求め、遊離型PSA量に対するα(2, 3)糖鎖遊離型PSA量の比率を決定する方法としては、例えば以下の［方法１］及び［方法２］が挙げられる。
［方法１］
アフィニティー物質を固相に固定化する。PSAを含有する試料を上記固相と接触・反応させる。固相を洗浄処理した後、抗PSA抗体（抗遊離型PSA抗体でもよい。）を検出可能な標識物質で標識した標識抗PSA抗体を、固相と接触・反応させる。未反応の標識抗PSA抗体を洗浄等により除去した後、標識抗PSA抗体の標識物質に応じた測定方法で標識物質の量を測定する。得られた測定結果をもとに、予め濃度既知のα(2, 3)糖鎖遊離型PSA標準を用いて測定を行って得られた結果を用いた常法による定量値換算を行い、α(2, 3)糖鎖遊離型PSA量を求める。別途上記した試料中の遊離型PSA量を測定する方法で遊離型PSA量を求める。得られた遊離型PSA量に対するα(2, 3)糖鎖遊離型PSA量の比率を求める。
【０３０６】
上記方法において、α(2, 3)糖鎖遊離型PSA量の捕捉効率を求める方法としては、例えば以下の方法が挙げられるが、これに限定されない。
【０３０７】
アフィニティー物質を固定化した固相に、濃度既知のα(2, 3)糖鎖遊離型PSA標準を含有する試料を上記固相と接触・反応させる。一方、その未反応画分（洗浄画分を含む）を回収し、当該画分に残存するα(2, 3)糖鎖遊離型PSA濃度を、公知のPSA測定法で測定する。
【０３０８】
本法におけるα(2, 3)糖鎖遊離型PSAの捕捉効率は、以下の式より求めることが出来る。
[測定に供したα(2, 3)糖鎖遊離型PSA標準の濃度−未反応画分（洗浄画分を含む）中のα(2, 3)糖鎖遊離型PSAの濃度]／測定に供したα(2, 3)糖鎖遊離型PSA標準の濃度
［方法２］
遊離型PSAに特異的に結合する抗体を固相に固定化する。PSAを含有する試料を、上記固相と接触・反応させる。固相を洗浄処理した後、アフィニティー物質を検出可能な標識物質で標識した標識アフィニティー物質を、固相と接触・反応させる。未反応の標識アフィニティー物質を洗浄等により除去した後、標識アフィニティー物質の標識物質に応じた方法で標識物質を測定する。得られた測定結果をもとに、予め濃度既知のα(2, 3)糖鎖遊離型PSA標準を用いて測定を行って得られた結果を用いた常法による定量値換算を行い、α(2, 3)糖鎖遊離型PSA量を求める。別途上記した試料中の遊離型PSA量を測定する方法で遊離型PSA量を求める。得られた遊離型PSA量に対するα(2, 3)糖鎖遊離型PSA量の比率を求める。
【０３０９】
質量分析装置を用いる方法
質量分析装置を用いて、試料中の成分の糖鎖の構造を解析することが出来る。本発明の判定方法では、質量分析装置を用いて試料中のPSAの糖鎖の構造を解析し、試料中の遊離型PSA量、α(2, 3)糖鎖遊離型PSA量、及びα(2, 3)糖鎖遊離型PSA以外の遊離型PSA量を測定することが出来る。そして、得られた遊離型PSA量に対するα(2, 3)糖鎖遊離型PSA量の比率を求める。
【０３１０】
遊離型PSA量は、質量分析装置を用いて求めても良い。また、質量分析装置を用いて得られたα(2, 3)糖鎖遊離型PSA量とα(2, 3)糖鎖遊離型PSA以外の遊離型PSA量の総和を遊離型PSA量としてもよい。
【０３１１】
（４）Pcaの判定方法
本発明のPcaの判定方法を実施するには、まず上記した方法により得られた遊離型PSA量に対するα(2, 3)糖鎖遊離型PSA量の比率を決定する。そしてその比率が40％より低い場合には、Pcaではない（Pca陰性）、またはその蓋然性は低い、と判定される。
【０３１２】
その比率が40％より高い場合、好ましくは43.2％より高い場合には、被検者がPcaである（Pca陽性）又はその蓋然性が高い、と判定される。
【０３１３】
また、該比率が47％より高い場合、好ましくは50%より高い場合に、被検者がPcaであり且つその悪性度が高いと判定される。
【０３１４】
ここで、「Pcaの悪性度が高い」とは、所謂グリーソンスコアが４＋３以上であると分類される症例に相当する。
【０３１５】
特に、従来の臨床検査で、血清PSA値からはPcaか否かを判別しにくい患者、例えばトータルPSA値がゼロを超える値〜50 ng/mLであった患者について本発明の判定法を行えば、より詳細なPcaの判定が行える。「0を超える値」とは、トータルPSAが測定された場合のトータルPSA値を示す。よってトータルPSA値が測定出来なかった場合は、「ゼロを超える値」に該当しない。
【０３１６】
更にトータルPSA値が4〜20 ng/mLであった患者、特に、トータルPSA値が4〜10 ng/mLの範囲にある所謂グレーゾーンの患者について本発明の判定方法を行うことにより、従来の臨床検査の検査項目であるトータルPSA値をもとに判定する場合ではPcaか否かを判定することが出来なかったグレーゾーンの患者について、Pca又はその蓋然性が高いか否かの判定を行うことができるので、特に有効である。
【０３１７】
更に別の判定方法として、以下の方法が挙げられる。
【０３１８】
すなわち、α(2, 3)糖鎖遊離型PSA標準を用いて予め作製した、遊離型PSA量に対するα(2, 3)糖鎖遊離型PSA量の比率がわかっている基準液１種以上を用いて、α(2, 3)糖鎖遊離型PSA量の測定を行う。この際、基準液として、遊離型PSA量に対するα(2, 3)糖鎖遊離型PSA量の比率が、例えば25%、40%、50%の基準液を用る。次いで、被検試料を用いて、同様に上記した方法によりα(2, 3)糖鎖遊離型PSA量の測定を行う。そして、基準液を用いて得られた測定結果と被検試料を用いた測定結果を比較する
被検試料を用いて得られた測定結果が、25%の基準液を用いて得られた測定結果、及び40%の基準液を用いて得られた測定結果より低い値であれば、Pca陰性と判定される。
【０３１９】
検試料を用いて得られた測定結果が、40%の基準液を用いて得られた測定結果より高い値であれば、Pcaである、又はその蓋然性が高いと判定される。
【０３２０】
更に、検試料を用いて得られた測定結果が、40%の基準液を用いて得られた測定結果より高い値であるが50%の基準液を用いて得られた測定結果より低いであれば、Pcaであるかその蓋然性が高いが、悪性度は低いと判定される。検試料を用いて得られた測定結果が、50%の基準液を用いて得られた測定結果より高い値であれば、Pcaであり、且つその悪性度が高いと判定される。
【０３２１】
（５）生体由来試料
本発明に係る生体由来試料としては、例えば血液、血漿、血清、精液、膀胱洗浄物、尿、組織抽出液、前立腺組織切片、前立腺組織生検試料等、あるいはこれらから調製されたもの等が挙げられる。中でも血清、血漿等が好ましいものとして挙げられる。
【０３２２】
＜Pca判定用キット＞
本発明に係るPca判定用キットは、アフィニティー物質を構成要件として含むものである。
【０３２３】
アフィニティー物質及びその構成要件の好ましい態様と具体例は、上記の本発明の前立腺癌の判定方法に関する説明において記載した通りである。また、これら試薬の濃度等の好ましい態様も、通常この分野で通常用いられる濃度範囲から適宜選択すればよい。
【０３２４】
該キットは、更に本発明に係る抗PSA抗体を構成要件として含んでいてもよい。
【０３２５】
また、これらキットに含まれる試薬中には、通常この分野で用いられる試薬類、例えば緩衝剤、反応促進剤、糖類、タンパク質、塩類、界面活性剤等の安定化剤、防腐剤等であって、共存する試薬等の安定性を阻害したりせず、α(2, 3)糖鎖遊離型PSAとアフィニティー物質との反応を阻害しないものが含まれていてもよい。またその濃度も、通常この分野で通常用いられる濃度範囲から適宜選択すればよい。
【０３２６】
更にまた本発明のキットには、本発明のPcaの判定法での使用のための説明書等を含ませておいても良い。当該「説明書」とは、当該方法における特徴・原理・操作手順、判定手順等が文章又は図表等により実質的に記載されている当該キットの取扱説明書、添付文書、あるいはパンフレット（リーフレット）等を意味する。
【０３２７】
以下に実施例等を挙げて本発明を更に詳細に説明するが、本発明はこれにより何ら限定されるものではない。
【実施例】
【０３２８】
実施例１．PSAの分離測定及び比率の決定
（１）試料及び試液の調製
１）DNA標識抗PSA抗体の調製
図２に示した手順に従って、DNAが結合したPSA抗体Fab’フラグメントを調製した。【０３２９】
すなわち、先ず、常法により５'末端にNH2基が導入された250bpのDNA断片を精製し（精製末端アミノ化DNA）、次いで、このDNA断片に導入されたNH2基とスルホサクシニミジル 4-（p-マレイミドフェニル）ブチレイト（Sulfo-SMPB）リンカー（スクシンイミド基とマレイミド基を有するリンカー、ピアス社製）のスクシンイミド基とを常法により反応させた後、ゲルろ過処理を行い、未反応リンカーを除去して、リンカーが結合した250bpDNA断片を得た。得られたリンカー結合250bpDNA断片と、予め抗ヒトPSAマウスモノクローナル抗体 PSA10（Anti PSAモノクローナル抗体 クローンNo. PSA10、和光純薬工業(株)製（自製品））を用いて常法に従い調製した抗PSA抗体PSA10 Fab'フラグメントとを反応させた。得られた反応物を、DEAEカラムを用いて精製し、250bpDNA断片が結合した抗PSA抗体PSA10 Fab'フラグメント（以下、「DNA標識抗PSA抗体」と略記する。）を調製した。【０３３０】
なお、用いた抗ヒトPSAマウスモノクローナル抗体（Anti PSAモノクローナル抗体 クローンNo.PSA10）は、ヒトPSAに対して親和性を有する抗体で、結合型PSA及び遊離型PSAの両方に結合する。すなわち該抗体は、α(2, 3)糖鎖遊離型PSAとα(2, 3)糖鎖遊離型PSA以外の遊離型PSAの両方に結合する。【０３３１】
２）蛍光標識抗遊離型PSA抗体の調製          
Anti PSAモノクローナル抗体 PSA10とは異なるPSAのエピトープを認識し、遊離型PSAのみと特異的に結合する抗ヒトPSAモノクローナル抗体 PSA12（Anti PSAモノクローナル抗体 クローンNo. PSA12、和光純薬工業(株)製（自製品））を常法により処理して、抗PSA抗体PSA12 Fab'フラグメントを得た。得られたフラグメントのアミノ基に、常法により蛍光物質HiLyte647（AnaSpec社製）を導入して、HiLyte647標識抗遊離型PSA抗体PSA12 Fab'フラグメント（以下、「蛍光標識抗遊離型PSA抗体」と略記する。）を得た。【０３３２】
（２）電気泳動（マイクロチップキャピラリー電気泳動）
全自動蛍光免疫測定装置ミュータスワコー i30（和光純薬工業（株）製）を用い、装置の取扱説明書に従い、以下に示した手順にてマイクロチップキャピラリー電気泳動を行った。【０３３３】
１）泳動用試料Ａの調製
非特許文献６の2. Materials and methods (2.7 Forced expression of FLAG-tag-fused S2,3PSA)に開示された方法に従ってリコンビナント遊離型PSA（以下、「r 遊離型PSA」と略記する。）[リコンビナントα(2, 3)糖鎖遊離型PSA（以下、「r α(2, 3)糖鎖遊離型PSA」と略記する。）と、リコンビナントα(2, 6)糖鎖遊離型PSA（以下、「r α(2, 6)糖鎖遊離型PSA」と略記する。）を含む。]を取得した。取得したr 遊離型PSA溶液中のPSA濃度を測定し、PBS(-)(和光純薬工業（株）製)で希釈して１ng/mL PSAタンパク質濃度となるように調製し、サンプル溶液を得た。得られたサンプル溶液を２μL、上記(１)２)で調製した1μM 蛍光標識抗遊離型PSA抗体を１μL、及び泳動緩衝液１[5％ (w/v) ポリエチレングリコール(PEG20000)、3％(w/v) グリセロール、150mM NaCl、0.01％ BSA、75mM Tris-HCl、10mM MESを含有する。pH 7.5] ７μLを0.5mLチューブに加えて混合して、10μLの反応液を調製した。【０３３４】
なお、この反応液中の蛍光標識抗遊離型PSA抗体の最終濃度は、100nMである。【０３３５】
上記反応で得られた[蛍光標識抗遊離型PSA抗体−r 遊離型PSA]複合体を含有する反応液（すなわち[蛍光標識抗遊離型PSA抗体−r α(2, 3)糖鎖遊離型PSA]複合体と[蛍光標識抗遊離型PSA抗体−r α(2, 6)糖鎖遊離型PSA]複合体を含有する溶液）（10μL）を、泳動用試料Ａとした。【０３３６】
２）泳動用試液の調製
下記の各試液を調製した。
・泳動緩衝液２（MAA含有）
4.5％ (w/v) ポリエチレングリコール(PEG8000)、3％(w/v) グリセロール、10mM NaCl、0.01 ％ BSAを含有する75mM Tris-HClバッファー(pH 7.5)を調製した。これにMAA（VECTOR社製）を終濃度4mg/mLとなるように添加・混合したものを調製し、泳動緩衝液２とした。
・泳動緩衝液３
2％ (w/v) ポリエチレングリコール(PEG20000)、3％(w/v) グリセロール、0.01 ％ BSA、125mM HEPES、75mM Tris-HClを含有するバッファー(pH調製なし)を、泳動緩衝液３とした。
・泳動緩衝液４
2％ (w/v) ポリエチレングリコール(PEG20000)、3％(w/v) グリセロール、0.01 ％ BSAを含有する75mM Tris-HClバッファー(pH 7.5)を、泳動緩衝液４とした。
・DNA標識抗体液（DNA標識抗PSA抗体含有）
上記(１)１)で得られたDNA標識抗PSA抗体 100nMを含有するバッファー[2％ (w/v) ポリエチレングリコール(PEG20000)、0.5mM EDTA(2Na)、3％(w/v) グリセロール、50mM NaCl、0.01 ％ BSA、75mM BisTris(pH 6.0)を含有する。]を調製し、DNA標識抗体液とした。
・蛍光液
30nM HiLyte647、20％(w/v) グリセロールを含有する50mM BisTris(pH 6.0)を、蛍光液とした。蛍光液は測定装置（ミュータスワコー i30）の検出部での位置確認等の調整のために用いられる。【０３３７】
３）電気泳動手順
ｉ）泳動用試料Ａ及び泳動用試液の導入
上記（２）１)で調製した泳動用試料Ａ 5.4μLを、ミュータスワコー i30専用マイクロチップの所定ウェル（SPウェル）に分注した。次いで、下記のように該マイクロチップの各ウェルに上記(２)２)で調製した各試液を分注した。
・R2ウェル（R2(FLB)ウェル、R2(LB)ウェル）：泳動緩衝液２を10.0μLずつ、
・R3ウェル：泳動緩衝液３を10.0μL、
・R4ウェル：泳動緩衝液４を5.4μL、
・C1ウェル：DNA標識抗体液を3.0μL、
・FDウェル：蛍光液を7.0μL。【０３３８】
使用したマイクロチップの模式図を図３に示す。【０３３９】
図３においてWasteウェルは、各ウェル（R2、R3、R4、C1）の試液及び泳動用試料Ａを分析用流路に導入する際の廃液だめ（ドレイン用ウェル）として使用する。【０３４０】
次いで、各4つのWasteウェル（ドレイン用ウェル）間に30秒間、-５psiの圧力を印加して、チップの分析用流路に泳動用試料Ａ及び各試液を導入した。【０３４１】
ｉｉ）ITP（反応、濃縮、分離）・検出
使用したマイクロチップのチップ内流路を模式化したものを図４に示す。
図４において、WはWasteウェルを示す。R3ウェル側が陰極、R2(LB)ウェル側が陽極になる。また、図４において、泳動用試料Ａ及び各ウェルの試液の配置部分を点部分と白部分（点のない部分）とに色分けして示す。【０３４２】
チップの分析用流路に泳動用試料Ａ及び各試液を導入した後、以下の方法でPSAの分離及び検出を行った。【０３４３】
図４のR3ウェル−R2(LB)ウェル間に4000Vの電圧を印加して、30℃で、試液中のDNA標識抗PSA抗体を泳動用試料Ａ中の[蛍光標識抗遊離型PSA抗体−r 遊離型PSA]複合体と接触させて、[蛍光標識抗遊離型PSA抗体−r 遊離型PSA−DNA標識抗PSA抗体]の複合体を形成させ、これを等速電気泳動（ITP）で濃縮した。等速電気泳動の泳動方向は図４に“ITP”と点線により示される。【０３４４】
遊離型PSAを捕捉するための各標識抗体による免疫反応時間は約200秒であった。【０３４５】
ここで形成された複合体は、具体的には[蛍光標識抗遊離型PSA抗体−r α(2, 3)糖鎖遊離型PSA−DNA標識抗PSA抗体]の複合体（複合体１）と[蛍光標識抗遊離型PSA抗体−r α(2, 6)糖鎖遊離型PSA−DNA標識抗PSA抗体]の複合体（複合体２）である。【０３４６】
R2(FLB)ウェルまで等速電気泳動されて、複合体がR2(FLB)ウェルを通り抜けたことを電圧の変化で判断して、陰電極をR3からR2(FLB)に切り替えた。そして、更に検出部分（R2(FLB)とR2(LB)のチャネルクロス部分から２cm下流のキャピラリー部分）で、[蛍光標識抗遊離型PSA抗体−r 遊離型PSA−DNA標識抗PSA抗体]の複合体のピークが検出されるまでMAAの存在下でキャピラリーゲル電気泳動(CE)を行った。CEが行われた位置及び電気泳動の泳動方向は、図４に“CE”と点線により示した。【０３４７】
検出は、635nmレーザー励起によりR2(FLB)とR2(LB)のチャネルクロス部分から２cm下流のキャピラリー部分の蛍光強度を、フォトダイオード（富士フィルム(株）製）により経時的に測定することによって行った。【０３４８】
また、MAAを含有しない泳動緩衝液２を用いる以外は、上記と同じ泳動用試料Ａ及び泳動用試液及び測定装置を用い、上記と同様の方法を実施して、PSAの分離及び検出を行った。【０３４９】
（３）結果
得られた電気泳動像（エレクトロフェログラム）を図５に示す。図５において、縦軸は蛍光強度を、横軸は移動度（sec）をそれぞれ示す。【０３５０】
また、MAAを含有しない泳動緩衝液２を用いて同様に検出を行って得られた電気泳動像（エレクトロフェログラム）を、図５に灰色の線（色の薄い線）で併せて示す。また、この検出の場合に出現したピークを“Lectin(-)”として図５に示す。【０３５１】
MAAと反応した[蛍光標識抗遊離型PSA抗体-r α(2, 3)糖鎖遊離型PSA-DNA標識抗PSA抗体]の複合体（複合体１）は、MAAと反応しない[蛍光標識抗遊離型PSA抗体-r α(2, 6)糖鎖遊離型PSA -DNA標識抗PSA抗体]の複合体（複合体２）と比べて泳動に時間がかかるので、ピークの出現が遅れる。すなわち、複合体２のピークは“Lectin(-)”のピークと同じ位置に出現したピークであり、複合体１のピークは、複合体２のピークのすぐ後に出現したピークである。【０３５２】
得られた複合体１の分画のピーク面積及び複合体２の分画のピーク面積を、測定装置付属の解析用ソフトで求めた。【０３５３】
次いで、得られた複合体１の分画のピーク面積と複合体２の分画のピーク面積を用い、試料中の遊離型PSA量に対するα(2, 3)糖鎖遊離型PSA量の比率（％）を計算した。【０３５４】
具体的な算出方法は、以下の通りである。
・遊離型PSA量（遊離型PSAの総量）＝[複合体１の分画のピーク面積]＋[複合体２の分画のピーク面積]
・遊離型PSA量に対するα(2, 3)糖鎖遊離型PSA量の比率（％）＝［複合体１の分画のピーク面積］/[遊離型PSA量]×100【０３５５】
その結果、遊離型PSA量に対するα(2, 3)糖鎖遊離型PSA量の比率は「49.9％」であった。【０３５６】
以上の結果から、キャピラリー電気泳動で複合体１（α(2, 3)糖鎖遊離型PSA量）と複合体２（α(2, 3)糖鎖遊離型PSA以外の遊離型PSA、本実施例ではα(2, 6)糖鎖遊離型PSA）を分離測定出来ること、及び該測定をもとに得られたピーク面積を用いて、遊離型PSA量に対するα(2, 3)糖鎖遊離型PSA量の比率を求めることが出来ることが判った。【０３５７】
実施例２．捕捉効率の確認
(１)r α(2, 3)糖鎖遊離型PSA又はr α(2, 6)糖鎖遊離型PSAを含有する泳動用試料Ａの調製
非特許文献６の2. Materials and methods (2.7 Forced expression of FLAG-tag-fused S2,3PSA)に開示された方法に従ってr遊離型PSA（r α(2, 3)糖鎖遊離型PSAとr α(2, 6)糖鎖遊離型PSAを含む）を取得した。取得したr遊離型PSAから、r α(2, 3)糖鎖遊離型PSAとr α(2, 6)糖鎖遊離型PSAを分離精製した。分離精製の方法は、まずシアリルα2,3-ガラクトース構造に対して高い親和性を示すACGレクチンカラム（(株)J-オイルミルズ）を用いたレクチンカラムクロマトグラフィーによりr α(2, 3)糖鎖遊離型PSAとr α(2, 6)糖鎖遊離型PSAとを分離した。次いでゲルろ過を行って、r α(2, 3)糖鎖遊離型PSA及びr α(2, 6)糖鎖遊離型PSAをそれぞれ精製した。【０３５８】
最終的に、r 遊離型PSA（29μg）を出発材料として、1.3μgのr α(2, 3)糖鎖遊離型PSAと、2.1μgのr α(2, 6)糖鎖遊離型PSAが得られた。【０３５９】
得られたr α(2, 3)糖鎖遊離型PSA及びr α(2, 6)糖鎖遊離型PSAを、それぞれPBS(-)(和光純薬工業（株）製)で希釈して、１ng/mL PSAタンパク質濃度となるように調整し、サンプル溶液を得た。得られたサンプル溶液を２μLずつ、実施例１の(１)２)で調製した1μM 蛍光標識抗遊離型PSA抗体を１μL、及び泳動緩衝液１[5％ (w/v) ポリエチレングリコール(PEG20000)、3％(w/v) グリセロール、150mM NaCl、0.01％ BSA、75mM Tris-HCl、10mM MESを含有する。pH 7.5]７μLを0.5mLチューブに加えて混合して、10μLの反応液を各々調製した。【０３６０】
なお、核反応液中の蛍光標識抗遊離型PSA抗体の最終濃度は、100nMである。【０３６１】
上記反応で得られた[蛍光標識抗遊離型PSA抗体−r α(2, 3)糖鎖遊離型PSA]複合体を含有する反応液（10μL）を、r α(2, 3)糖鎖遊離型PSAを含有する泳動用試料Ａとした。また、上記反応で得られた[蛍光標識抗遊離型PSA抗体−r α(2, 6)糖鎖遊離型PSA]複合体を含有する反応液（10μL）を、r α(2, 6)糖鎖遊離型PSAを含有する泳動用試料Ａとした。【０３６２】
（２）電気泳動（マイクロチップキャピラリー電気泳動）
上記（１）で調製したr α(2, 3)糖鎖遊離型PSAを含有する泳動用試料Ａ、又はr α(2, 6)糖鎖遊離型PSAを含有する泳動用試料Ａを用いる以外は、実施例１で使用したものと同様の泳動用試液、測定装置等を用い、実施例１と同様の試薬及び測定装置等を用いて、実施例１と同様の方法で、マイクロチップキャピラリー電気泳動を行った。【０３６３】
（３）結果
得られた電気泳動像（エレクトロフェログラム）を図６に示す。図６において、縦軸は蛍光強度を、横軸は移動度（sec）をそれぞれ示す。【０３６４】
r α(2, 3)糖鎖遊離型PSAを含有する泳動用試料Ａを用いて得られた結果を、図６(１)に、灰色の線（色の薄い線）で示す。【０３６５】
また、r α(2, 3)糖鎖遊離型PSAを含有する泳動用試料ＡとMAAを含有しない泳動緩衝液２を用いて同様に測定を行って得られた電気泳動像（エレクトロフェログラム）を、図６(１)に、黒線（色の濃い線）で併せて示す。【０３６６】
r α(2, 6)糖鎖遊離型PSAを含有する泳動用試料Ａを用いて得られた結果を、図６(２)に、灰色の線（色の薄い線）で示す。【０３６７】
また、r α(2, 6)糖鎖遊離型PSAを含有する泳動用試料ＡとMAAを含有しない泳動緩衝液２を用いて同様に測定を行って得られた電気泳動像（エレクトロフェログラム）を、図６(２)に、黒線（色の濃い線）で併せて示す。【０３６８】
MAAと、MAAが親和性を有するα(2, 3)糖鎖遊離型PSAの糖鎖構造、すなわち糖鎖の末端シアル酸残基が糖鎖の末端から２番目のガラクトース残基にα(2, 3)結合した糖鎖との間に相互作用が生じるので、MAAを含有する泳動緩衝液２を用いた測定で得られたα(2, 3)糖鎖遊離型PSAの泳動ピークは、MAAを含有しない泳動緩衝液２を用いた測定で得られたα(2, 3)糖鎖遊離型PSAの泳動ピークより後に出現する筈である。図６（１）から明らかな通り、MAAを含有する泳動緩衝液２を用いた測定で得られたα(2, 3)糖鎖遊離型PSAの泳動ピークは、MAAを含有しない泳動緩衝液２を用いた測定で得られたα(2, 6)糖鎖遊離型PSAの泳動ピークの出現位置より遅延することが確認された。【０３６９】
次に、図６(１)の結果をもとに、得られたピークの面積を、装置付属の解析ソフトで求めた。その結果、MAAを含有する泳動緩衝液２を用いた測定で得られたα(2, 3)糖鎖遊離型PSAのピーク面積は、MAAを含有しない泳動緩衝液２を用いた測定で得られたα(2, 3)糖鎖遊離型PSAのピーク面積のほぼ100%であった。【０３７０】
一方、α(2, 6)糖鎖遊離型PSAは、糖鎖の末端シアル酸残基が糖鎖の末端から２番目のガラクトース残基にα(2, 3)結合した糖鎖を有しないため、MAAとの相互作用は生じない。そのため、MAAを含有する泳動緩衝液２を用いた測定で得られたα(2, 6)糖鎖遊離型PSAの泳動ピークは、MAAを含有しない泳動緩衝液２を用いた測定で得られたα(2, 6)糖鎖遊離型PSAの泳動ピークと同じ位置に出現する筈である。図６(２)から明らかな通り、MAAを含有する泳動緩衝液２を用いた測定で得られたα(2, 6)糖鎖遊離型PSAの泳動ピークと、MAAを含有しない泳動緩衝液２を用いた測定で得られたα(2, 6)糖鎖遊離型PSAの泳動ピークとは、泳動ピーク位置に変化が認められなかった。【０３７１】
次に、図６(２)の結果をもとに、得られたピークの面積を、装置付属の解析ソフトで求めた。その結果、MAAを含有する泳動緩衝液２を用いた測定で得られたα(2, 3)糖鎖遊離型PSAのピーク面積は、MAAを含有しない泳動緩衝液２を用いた測定で得られたα(6, 3)糖鎖遊離型PSAのピーク面積のほぼ100%であった。【０３７２】
以上の結果から、本測定系では、「MAAと糖鎖の末端シアル酸残基が糖鎖の末端から２番目のガラクトース残基にα(2, 3)結合した糖鎖」との相互作用による、α(2, 3)糖鎖遊離型PSA及びα(6, 3)糖鎖遊離型PSAの捕捉効率がほぼ100%であることが確認された。言い換えれば、本測定系では、α(2, 3)糖鎖遊離型PSA量及びα(6, 3)糖鎖遊離型PSA量を、ロス無く測定できることが明らかになった。【０３７３】
なお、本発明者等は、特許文献１に記載のα(2, 3)糖鎖遊離型PSA量の測定方法では、α(2, 3)糖鎖遊離型PSAの捕捉効率が低い（80%未満）であることを確認している。【０３７４】
実施例３．
(１)泳動用試料Ａの調製
実施例２で調製したr α(2, 3)糖鎖遊離型PSA及びr α(2, 6)糖鎖遊離型PSAを、それぞれPBS(-)(和光純薬工業（株）製)で希釈して、1.5ng/mL PSAタンパク質濃度となるように調整した。次いで、得られたr α(2, 6)糖鎖遊離型PSA溶液でr α(2, 3)糖鎖遊離型PSA溶液を希釈して、r α(2, 3)糖鎖遊離型PSAを10%, 20%, 30%, 40%, 又は50%含有するサンプル溶液を得た。このr α(2, 3)糖鎖遊離型PSAの含有率を「理論値」とする。【０３７５】
得られたサンプル溶液を２μL、実施例１の(１)２)で調製した1μM 蛍光標識抗遊離型PSA抗体を１μL、及び泳動緩衝液１ [5％ (w/v) ポリエチレングリコール(PEG20000)、3％(w/v) グリセロール、150mM NaCl、0.01％ BSA、75mM Tris-HCl、10mM MESを含有する。pH 7.5]７μLを0.5mLチューブに加えて混合して、10μLの反応液を調製した。【０３７６】
上記反応で得られた[蛍光標識抗遊離型PSA抗体−遊離型PSA]複合体を含有する反応液（すなわち[蛍光標識抗遊離型PSA抗体−r α(2, 3)糖鎖遊離型PSA]複合体と[蛍光標識抗遊離型PSA抗体−r α(2, 6)糖鎖遊離型PSA]複合体を含有する溶液）（10μL）を、泳動用試料Ａとした。【０３７７】
なお、この反応液中の蛍光標識抗遊離型PSA抗体の最終濃度は、100nMである。【０３７８】
（２）電気泳動（マイクロチップキャピラリー電気泳動）
上記（１）で調製した泳動用試料Ａを用いる以外は、実施例１で使用したものと同様の泳動用試液、測定装置等を用い、実施例１と同様の方法で、マイクロチップキャピラリー電気泳動を行った。【０３７９】
（３）比率の算出
得られた電気泳動像（エレクトロフェログラム）をもとに、複合体１（[蛍光標識抗遊離型PSA抗体−r α(2, 3)糖鎖遊離型PSA]複合体）のピーク面積と複合体２（[蛍光標識抗遊離型PSA抗体−r α(2, 6)糖鎖遊離型PSA]複合体）のピーク面積を、装置付属の解析用ソフトで求めた。得られた値を、以下、単に「実測値」と記載する場合がある。【０３８０】
次いで、複合体１の分画のピーク面積と複合体２の分画のピーク面積をもとに、試料中の遊離型PSA量に対するα(2, 3)糖鎖遊離型PSA量の比率（％）を、実施例１と同様の計算方法で求めた。【０３８１】
（４）結果
結果を図７に示す。【０３８２】
図７（１）は、各サンプル溶液の実測値をもとに算出した遊離型PSA量に対するα(2, 3)糖鎖遊離型PSA量の比率（％）と、使用したサンプル溶液のα(2, 3)糖鎖遊離型PSAの含有率（理論値）との関係を示す。図７（１）において、■は、各サンプル溶液中の遊離型PSAのタンパク質濃度を示す（fPSA）。使用した各試料中のタンパク質濃度は、すべて1.5ng/mLである。◆は、実測値をもとに算出した、各サンプル溶液の遊離型PSA量に対するα(2, 3)糖鎖遊離型PSA量の比率（％）を示す。【０３８３】
図７(１)より、使用したサンプル溶液の遊離型PSA量に対するα(2, 3)糖鎖遊離型PSA量の比率の理論値（α(2, 3) PSA ratio (％)）と、実測値をもとに算出した遊離型PSA量に対するα(2, 3)糖鎖遊離型PSA量の比率（α(2, 3) PSA ratio (％)）が殆ど一致した。例えば、r α(2, 3)糖鎖遊離型PSAを10%（理論値）含有するサンプル溶液の遊離型PSA量に対するα(2, 3)糖鎖遊離型PSA量の比率（％）は、理論値は10%であるのに対し、実測値をもとに算出した該比率も殆ど10%であった。【０３８４】
図７（２）は、各サンプル溶液について、上記（３）で得られた複合体１の分画のピーク面積の実測値（■、peak area）及び複合体２の分画のピーク面積の実測値（◆、Peak area）と、そのサンプル溶液の理論値との関係を示す。【０３８５】
複合体１の分画のピーク面積はα(2, 3)糖鎖遊離型PSA濃度を反映し、複合体２の分画のピーク面積はα(2, 6)糖鎖遊離型PSA濃度を反映する。【０３８６】
例えば、図７(２)より、理論値（α(2, 3)PSA ratio）が10%の試料を用いたとき、複合体１の分画のピーク面積の実測値（■）は約2.7であり、複合体２の分画のピーク面積の実測値（◆）は約24.2であった。以上のことから、実測値をもとに計算すると、
α(2, 3)糖鎖遊離型PSA濃度／遊離型PSA濃度
＝複合体１の画分のピーク面積／（複合体１の画分のピーク面積＋複合体２の画分のピーク面積）
＝2.7／（2.7+24.2）×100＝10.0%
となった。すなわち、実測値をもとに算出した遊離型PSA量に対するα(2, 3)糖鎖遊離型PSA量の比率は、理論値と殆ど同じになった。【０３８７】
以上のことから、本実施例の測定方法で得られた遊離型PSA量に対するα(2, 3)糖鎖遊離型PSA量の比率（％）は、実際の遊離型PSA量に対するα(2, 3)糖鎖遊離型PSA量の比率（％）と殆ど一致したことが確認された。【０３８８】
従って、本実施例の測定方法を実施することにより、正確な「遊離型PSA量に対するα(2, 3)糖鎖遊離型PSA量の比率（％）」が得られることが確認された。また、α(2, 3)糖鎖遊離型PSAとα(2, 6)糖鎖遊離型PSAの測定値が直線性を示すことが確認された。この結果は、本測定系におけるα(2, 3)糖鎖遊離型PSAの捕捉効率がほぼ100%であることを裏付けている。【０３８９】
実施例４．Pca患者及びBPH患者由来試料を用いて得られた比率の比較
（１）泳動用試料Ａの調製
トータルPSA値が10.0 ng/mL以下であった前立腺癌（Pca）患者22名及び非癌である前立腺肥大症（BPH）患者24名から採取した血清を試料として用いた。各患者の組織病理学的診断は前立腺生検を行って確認した。患者の背景（年齢、PSA値（トータルPSA値）、病理組織学的悪性度分類及び臨床病期）を表１に示す。【０３９０】
【表１】
2017130578.tif 000004
【０３９１】
試料２μL、実施例１(１)２)で調製した1μM 蛍光標識抗遊離型PSA抗体を１μL、及び泳動緩衝液１[5％ (w/v) ポリエチレングリコール(PEG20000)、3％(w/v) グリセロール、150mM NaCl、0.01％ BSA、75mM Tris-HCl(pH 7.5)、10mM MESを含有する]７μLを0.5mLチューブに加えて混合して、10μLの反応液を調製した。【０３９２】
上記反応で得られた、[蛍光標識抗遊離型PSA抗体−遊離型PSA]複合体を含有する反応液（10μL）を、泳動用試料Ａとした。【０３９３】
（２）PSAの分離測定及び比率の決定
上記(１)で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０３９４】
上記で得られた値について、Pca患者とBPH患者間で有意差検定（Manwhitney U-TEST）を行った。【０３９５】
（３）結果
得られた結果を図８に示す。【０３９６】
図８から明らかな通り、遊離型PSA量に対するα(2, 3)糖鎖遊離型PSA量の比率（α(2,3) PSA ratio (%)）をPca患者とBPH患者間で比較したP値は「P＜0.0001」であった。よって、Pca患者由来試料の遊離型PSA量に対するα(2, 3)糖鎖遊離型PSA量の比率は、BPH患者由来試料の該比率と比較して有意に高いことが判った。【０３９７】
比較例１及び２．従来の判定方法との比較
（１）試料
実施例４で使用したものと同じ試料を用いた。【０３９８】
（２）従来の判定項目の測定
体外診断用医薬品であるルミパルスプレストPSA（富士レビオ(株)）を用いてキット添付のプロトコルに従って、各試料中のトータルPSA値を求めた（比較例１）。【０３９９】
また、Human Circulating Cancer BioMarker Panel 1 セレクトキット（LUMINEX社製）を用い、キットに添付のプロトコルに従って、各試料中の遊離型PSA値を求めた。【０４００】
得られた結果を基に、各試料のトータルPSA値に対する遊離型PSA値の比率を求めた（比較例２）。【０４０１】
上記で得られた各値について、Pca患者とBPH患者間で有意差検定（Manwhiteney U-TEST）を行った。【０４０２】
（３）結果
得られた結果及び、実施例４で得られた結果を図９の上図に併せて示す。【０４０３】
図９（１）上図は、実施例４で得られた、遊離型PSA量に対するα(2, 3)糖鎖遊離型PSA量の比率（α(2,3)PSA ratio）を、Pca患者とBPH患者間で比較した結果を示す（図２と同じ）。【０４０４】
図９（２）上図は、トータルPSA値（total PSA）を、Pca患者とBPH患者間で比較した結果を示す（比較例１）。【０４０５】
図９（３）上図は、トータルPSA値に対する遊離型PSA値の比率（%fPSA）を、Pca患者とBPH患者間で比較した結果を示す（比較例２）。【０４０６】
図９(１)（上図）から明らかな通り、遊離型PSA量に対するα(2, 3)糖鎖遊離型PSA量の比率をPca患者とBPH患者間で比較したP値は「＜0.0001」であった（図９（１）上図）。一方、トータルPSA値をPca患者とBPH患者間で比較した結果、P値=0.0289（図９（２）上図）であった。また、トータルPSA値に対する遊離型PSA値の比率をPca患者とBPH患者間で比較した結果、P値=0.1458（図９（３）上図）であった。【０４０７】
以上のことから、本発明の遊離型PSA量に対するα(2, 3)糖鎖遊離型PSA量の比率を用いてPcaを判定する方法は、従来のトータルPSA値又はトータルPSA値に対する遊離型PSA値の比率を用いて判定する方法よりも、精度の高いPcaの判定を行えることが判った。【０４０８】
また、この結果をもとに、更にRelative Operating Characteristic curve（ROC曲線）による解析を行った。結果を図９の下図に併せて示す。【０４０９】
図９(１)（下図）から明らかな通り、本発明の遊離型PSA量に対するα(2, 3)糖鎖遊離型PSA量の比率でPcaを判定した結果、AUC（曲線下面積＝Area Under the Curve）＝0.8580（図９（１）下図）となった。一方、従来のトータルPS値でPcaを判定した結果、AUC＝0.6875（図９（２）下図）であった。従来のトータルPSA値に対する遊離型PSA値の比率でPcaを判定した結果、AUC＝0.6275であった（図９（３）下図）。【０４１０】
すなわち、本発明の判定方法は、従来の判定方法と比べて測定系の感度・特異度の点で優れていることが示された。また、Pca判定のグレーゾーンとされる試料中のトータルPSA値が10.0 ng/mL以下の患者由来試料を用いて上記の結果が得られたことから、本発明の判定方法は、従来の判定方法よりも高い精度で、トータルPSA値がグレーゾーンの患者のPcaの判定が行えることが判った。【０４１１】
実施例５．カットオフ値の検定
（１）泳動用試料Ａの調製
実施例４で使用した血清試料と、トータルPSA値10〜50ng/mLを示す患者43名（Pca陽性；26例、陰性；17例）由来の血清試料の、計89名の患者由来の血清試料を用い、実施例４(１)と同様の方法で泳動用試料Ａを調製した。【０４１２】
（２）PSAの分離測定及び比率の決定
上記(１)で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０４１３】
（３）カットオフ値の検定
上記（２）で得られた結果をもとに、Relative Operating Characteristic curve（ROC曲線）により解析を行った。結果を図１０に示す。【０４１４】
次に、常法通り、ROC曲線に接する45度の角度をもつ直線を引き、その直線との交点（図１０に矢印で示した）の値、すなわち「感度−（１−特異度）」が最大となる値を求めた。その結果、その値（遊離型PSA量に対するα(2, 3)糖鎖遊離型PSA量の比率）は「43.1％」であった。【０４１５】
このことから、本実施例の検証では、遊離型PSA量に対するα(2, 3)糖鎖遊離型PSA量の比率をもとにPca判定を判定する場合のカットオフ値は「43.1%」となった（図１０）。【０４１６】
実施例６．公知のカットオフ値による判定との比較
（１）試料
WO2014/057983号パンフレット（特許文献３）には、その実施例２に記載の方法で各試料の蛍光強度（MFI：Mean Fluorescence Intensity）を測定し、その値を各試料のα(2, 3)糖鎖遊離型PSA量としたこと、Pca判定のためのカットオフ値を「蛍光強度（MFI）＝１１３０」に定めたことが記載されている。しかし、本発明者等が特許文献３の実施例２に記載された方法で、本明細書の実施例４で使用した試料（計46症例）のα(2, 3)糖鎖遊離型PSA量を測定した結果、蛍光強度（MFI）が１１３０以上であっても、実際には陰性（BPH）の場合があった（偽陽性）。すなわち、α(2, 3)糖鎖遊離型PSA量でPcaを判定すると、偽陽性の判定が生じる可能性があることが示唆された。【０４１７】
そこで、本発明者等が上記測定を行った結果、陰性（BPH）であるのにもかかわらず蛍光強度（MFI）が特許文献３で定められたカットオフ値「１１３０」より高値であった５検体の試料を用いて、本発明の判定方法と特許文献３に開示された公知の判定方法との比較検討を行った。【０４１８】
（２）遊離型PSA量に対するα(2, 3)糖鎖遊離型PSA量の比率の決定
上記（１）で選択した５検体の試料を用い、実施例４(１)と同様の方法で泳動用試料Ａを調製した。【０４１９】
次いで、上記で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。結果を表２に示す。【０４２０】
（３）α(2, 3)糖鎖遊離型PSAの測定
上記（１）の５検体の試料を用い、特許文献３の実施例２に記載の方法と同様の方法を実施して、α(2, 3)糖鎖遊離型PSA量（蛍光強度（MFI））を測定した。結果を表２に併せて示す。【０４２１】
（４）結果
表２において、「比率」は、各試料の、遊離型PSA量に対するα(2, 3)糖鎖遊離型PSA量の比率を示す。【０４２２】
表２において、「MFI」は、上記(３)の方法で各試料の蛍光強度（MFI）を測定した結果を示す。【０４２３】
【表２】
2017130578.tif 000005
【０４２４】
特許文献３が定めたα(2, 3)糖鎖遊離型PSA量を指標としてPcaを判定する場合のカットオフ値は、蛍光強度（MFI）として１１３０である。表２の結果から明らかなように、今回測定対象となった５検体はすべて陰性（BPH）であるにもかかわらず、蛍光強度（MFI）≧１１３０であった。従って、特許文献３に記載のカットオフ値をもとにPcaを判定した結果、５検体はすべてPcaと判定された（偽陽性判定）。【０４２５】
これに対し、実施例５で決定した遊離型PSA量に対するα(2, 3)糖鎖遊離型PSA量の比率のカットオフ値「43.1％」を用いて判定を行った結果、測定対象となった５検体の該比率はすべてこのカットオフ値未満であり、すべて陰性と判定された。【０４２６】
以上のことから、本発明に係る遊離型PSA量に対するα(2, 3)糖鎖遊離型PSA量の比率を指標にしたカットオフ値を用いた判定方法の方が、公知のα(2, 3)糖鎖遊離型PSA量を指標としたカットオフ値を用いた判定方法よりも、精度の高いPcaの判定が行える方法であることが判った。【０４２７】
実施例７．
（１）試料
トータルPSA値が20.0 ng/mL以下であった、前立腺癌（Pca）患者28名及び非癌である前立腺肥大症（BPH）患者28名から採取した血清を、試料として用いた。【０４２８】
なお、ここで用いた試料は、従来の判定マーカーであるトータルPSA test及びはトータルPSA値に対する遊離型PSAの比率を指標として判定した結果、癌の判定が難しいと判断された試料である。【０４２９】
（２）遊離型PSA量に対するα(2, 3)糖鎖遊離型PSA量の比率の決定
上記(１)の試料を用い、実施例４(１)と同様の方法で泳動用試料Ａを調製した。【０４３０】
次いで、上記で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０４３１】
上記で得られた値について、Pca患者とBPH患者間で有意差検定（Manwhitney U-TESTを行った。【０４３２】
（３）結果
結果を図１１に示す。【０４３３】
図１１(１)は、各試料の、遊離型PSA量に対するα(2, 3)糖鎖遊離型PSA量の比率（α(2, 3) PSA ratio (%)）を示す。【０４３４】
また、図１１(１)の結果をもとに、Relative Operating Characteristic curve（ROC曲線）により解析を行った。結果を図１１(２)に示す（図１１（２）(a)である。）。【０４３５】
比較例３、４
（１）トータルPSA値の測定（比較例３）
実施例７で使用したものと同じ試料を用い、体外診断用医薬品であるルミパルスプレストPSA（富士レビオ(株)）を用いてキット添付のプロトコルに従って、各試料中のトータルPSA値を求めた。また、得られた値について、Pca患者とBPH患者間で有意差検定（Manwhitney U-TEST）を行った。【０４３６】
結果を図１２（１）に示す。【０４３７】
また、得られた結果をもとに、Relative Operating Characteristic curve（ROC曲線）により解析を行った。結果を図１１(２)に併せて示す（図１１(２)(ｃ)）。【０４３８】
（２）α(2, 3)糖鎖遊離型PSAの測定（比較例４）
実施例７で使用したものと同じ試料を用い、特許文献３（WO2014/057983）の実施例２に記載の方法と同様の方法を実施して、α(2, 3)糖鎖遊離型PSA量（蛍光強度（MFI）を測定した。また、得られた値について、Pca患者とBPH患者間で有意差検定（Manwhitney U-TEST）を行った。【０４３９】
結果を図１２(２)に併せて示す。【０４４０】
また、得られた結果をもとに、Relative Operating Characteristic curve（ROC曲線）により解析を行った。結果を図１１(２)に併せて示す（図１１(２)(ｂ)）。【０４４１】
（３）結果
１）ROC曲線解析の結果
実施例７及び比較例３，４で得られたROC曲線解析の結果を図１１(２)に併せて示す。【０４４２】
解析の結果、遊離型PSA量に対するα(2, 3)糖鎖遊離型PSA量の比率（実施例７、図１１(２)(a)）では、AUC＝0.7423であった。一方、α(2, 3)糖鎖遊離型PSA量（比較例４、図１１(２)(ｂ)）では、AUC＝0.5344であった。トータルPSA量（比較例３、図１１(２)(ｃ)）では、AUC=0.5064であった。【０４４３】
また、遊離型PSA量に対するα(2, 3)糖鎖遊離型PSA量の比率＝40%を前立腺癌の判定におけるカットオフ値とした場合の感度は85.7％、特異度は46.4％であった。一方、公知のPcaマーカーであるα(2, 3)糖鎖遊離型PSA量(b)、およびトータルPSA量(c)において85.7％の感度を達成した場合の特異度は、それぞれ17.9％、および14.3％であった。【０４４４】
以上のことから、遊離型PSA量に対するα(2, 3)糖鎖遊離型PSA量の比率＝40%を前立腺癌の判定におけるカットオフ値とする本発明の前立腺癌の判定方法は、通常の方法において、判定の難しい症例であっても、従来の判定方法よりも前立腺癌判定の感度及び特異度が高い、優れた判定方法であることが確認された。【０４４５】
２）有意差検定の結果
図１１(１)から明らかな通り、遊離型PSA量に対するα(2, 3)糖鎖遊離型PSA量の比率（α(2,3) PSA ratio (%)）をPca患者とBPH患者間で比較したP値は「P＝0.0019」であった。よって、Pca患者由来試料の遊離型PSA量に対するα(2, 3)糖鎖遊離型PSA量の比率は、BPH患者由来試料の該比率と比較して有意に高いことが判った。【０４４６】
一方、図１２から明らかな通り、トータルPSA量（図１２(１)）及び遊離型α(2,3)遊離型PSA量（図１２(２)）は、Pca患者とBPH患者間では有意差は認められなかった。【０４４７】
以上のことからも、遊離型PSA量に対するα(2, 3)糖鎖遊離型PSA量の比率＝40%をカットオフ値として、この値をもとにPcaの判定を行う本発明の判定方法は、トータルPSA値やα(2, 3)糖鎖遊離型PSA量をもとに判定を行う公知の方法よりも、精度の高いPcaの判定を行うことができることが判った。【０４４８】
実施例８
（１）泳動用試料Ａの調製
前立腺癌（Pca）患者103名及び非癌者（前立腺癌ではないと判定された者。BPH患者を含む。）50名から採取した血清を試料として用いた。各患者の組織病理学的診断は前立腺生検を行って確認した。患者の背景（年齢、トータルPSA値）を表３に示す。【０４４９】
【表３】
2017130578.tif 000006
【０４５０】
試料２μL、実施例１(１)２)で調製した1μM 蛍光標識抗遊離型PSA抗体を１μL、及び泳動緩衝液１ [5％ (w/v) ポリエチレングリコール(PEG20000)、3％(w/v) グリセロール、150mM NaCl、0.01％ BSA、75mM Tris-HCl(pH 7.5)、10mM MESを含有する] ７μLを0.5mLチューブに加えて混合して、10μLの反応液を調製した。【０４５１】
得られた反応液10μＬを、泳動用試料Ａとした。【０４５２】
（２）PSAの分離測定及び比率の決定
上記(１)で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０４５３】
（３）結果
上記で得られた値について、Pca患者と非癌者で有意差検定（Manwhitney U-TESTを行った。得られた結果を図１３に示す。【０４５４】
図１３から明らかな通り、遊離型PSA量に対するα(2, 3)糖鎖遊離型PSA量の比率（α(2,3) PSA ratio (%)）をPca患者と非癌者で比較したP値は「P＜0.0001」であった。よって、Pca患者由来試料の遊離型PSA量に対するα(2, 3)糖鎖遊離型PSA量の比率は、非癌者由来試料の該比率と比較して有意に高いことが判った。【０４５５】
また、得られた該比率をもとに、更にRelative Operating Characteristic curve（ROC曲線）による解析を行った。結果を図１４に示す（図１４(１)）。【０４５６】
また、既に測定されていたトータルPSA値をもとに、Relative Operating Characteristic curve（ROC曲線）による解析を行った。結果を図１４に併せて示す（図１４(２)）
図１４のROC曲線解析の結果、本発明の遊離型PSA量に対するα(2, 3)糖鎖遊離型PSA量の比率でPcaを判定した結果、AUC（曲線下面積＝Area Under the Curve）＝0.851となった。一方、従来のトータルPS値でPcaを判定した結果、AUC＝0.658であった【０４５７】
すなわち、本発明の判定方法は、従来の判定方法と比べて測定系の感度・特異度の点で優れており、本発明の判定方法は、従来のトータルPSA量に基づく判定方法よりも診断精度の高い判定方法であることが分かる。【０４５８】
また、図１４のROC曲線解析の結果、遊離型PSA量に対するα(2, 3)糖鎖遊離型PSA量の比率＝40%を前立腺癌の判定におけるカットオフ値とした場合の感度は、81.6％、特異度は76.0％であった。一方、公知技術であるトータルPSA量を用いた判定方法において、81.6％の感度を達成した場合の特異度は、46.0であった。以上のことから、遊離型PSA量に対するα(2, 3)糖鎖遊離型PSA量の比率＝40%を前立腺癌の判定におけるカットオフ値とする本発明の前立腺癌の判定方法は、従来の判定方法よりも前立腺癌判定の感度及び特異度が高い、優れた判定方法であることが確認された。【０４５９】
（４）カットオフ値の検定
上記（３）で得られたPca患者由来試料の遊離型PSA量に対するα(2, 3)糖鎖遊離型PSA量の比率の結果をもとに、Relative Operating Characteristic curve（ROC曲線、図１５）により解析を行った。次に、常法通り、ROC曲線に接する45度の角度をもつ直線を引き、その直線との交点（図１５に矢印で示した）、すなわち「感度−（１−特異度）」が最大となる値を求めた。その結果、その値（遊離型PSA量に対するα(2, 3)糖鎖遊離型PSA量の比率）は「42.7％」であった。【０４６０】
このことから、本実施例の検証では、遊離型PSA量に対するα(2, 3)糖鎖遊離型PSA量の比率をもとにPca判定を判定する場合のカットオフ値は「42.7%」となった。【０４６１】
実施例９、比較例５．前立腺癌の悪性度の判定
（１）試料
術後のグリーソンスコア（GS)判定により悪性度を確定した前立腺癌（Pca）患者36名、及び非癌者（前立腺癌ではないと判定された者。BPH患者を含む。）40名から採取した血清を試料として用いた。各患者の組織病理学的診断は前立腺生検を行って確認した。患者の背景（年齢、トータルPSA値、グリーソンスコア等）を表４に示す。【０４６２】
【表４】
2017130578.tif 000007
【０４６３】
（２）遊離型PSA量に対するα(2, 3)糖鎖遊離型PSA量の比率の決定（実施例９）
上記(１)の試料を用い、実施例４(１)と同様の方法で泳動用試料Ａを調製した。【０４６４】
次いで、上記で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０４６５】
結果を図１６(１)に示す。【０４６６】
また、術後グリーソンスコアが４＋３（術後GS=4+3）又はそれより悪性の患者由来の血清試料を用いて得られた、遊離型PSA量に対するα(2, 3)糖鎖遊離型PSA量の比率をもとに、Relative Operating Characteristic curve（ROC曲線）による解析を行った。結果を図１７に示す。【０４６７】
（2）トータルPSA値の測定（比較例５）
実施例９で使用したものと同じ試料を用い、体外診断用医薬品であるルミパルスプレストPSA（富士レビオ(株)）を用いてキット添付のプロトコルに従って、各試料中のトータルPSA値を求めた。【０４６８】
結果を図１６(２)に示す。【０４６９】
（３）結果
図１６（１）は、非癌者及びPca患者由来試料の遊離型PSA量に対するα(2, 3)糖鎖遊離型PSA量の比率を示した図である。Pca患者については、術後グリーソンスコア（術後GS）ごとの該比率を示した。【０４７０】
図１６（2）は、非癌者及びPca患者由来試料のトータルPSA量を示した図である。Pca患者については、術後GSごとの該比率を示した。【０４７１】
図１６（１）から明らかな通り、遊離型PSA量に対するα(2, 3)糖鎖遊離型PSA量の比率が40%の値をカットオフ値とした場合、非癌者の該比率はカットオフ値より低く、Pca患者の該比率はカットオフ値よりも高くなる傾向を強く示した。このことから、カットオフ値40%を用いることにより、Pca患者と非癌例との良好な識別判定が可能であることが示された。【０４７２】
次に、ROC曲線による解析結果（図１７）から明らかな通り、本発明の遊離型PSA量に対するα(2, 3)糖鎖遊離型PSA量の比率でPcaを判定した結果、AUC＝0.921となった。また、その感度は91.3％、特異度は90.6％であった。【０４７３】
さらに、常法通り、図１７のROC曲線に接する45度の角度をもつ直線を引き、その直線との交点（図１７に矢印で示した）の値、すなわち「感度−（１−特異度）」が最大となる値を求めた。その結果、その値（遊離型PSA量に対するα(2, 3)糖鎖遊離型PSA量の比率）は「47.2％」であった。このことから、本実施例の検証では、遊離型PSA量に対するα(2, 3)糖鎖遊離型PSA量の比率をもとにPcaの悪性度を判定する場合のカットオフ値は「47.2%」となった（図１７）。【０４７４】
更に、遊離型PSA量に対するα(2, 3)糖鎖遊離型PSA量の比率が47.2％の値をカットオフ値とした場合、図１６(１)の結果から明らかな通り、グリーソンスコアが４＋３（GS=4+3）又はそれ以上の患者の該比率は、カットオフよりも高くなる傾向を強く示した。すなわち、術後グリーソンスコアによる確定診断との良好な相関性を示した。【０４７５】
また、GS=3+4の場合の該比率はカットオフ値40%より高いが47.2％よりは低くなる傾向があるため、Pcaではあるが悪性度は低い症例として識別できた。【０４７６】
以上のことから、「遊離型PSA量に対するα(2, 3)糖鎖遊離型PSA量の比率」＝「47.2％」を悪性度判定のカットオフ値とし、このカットオフ値「47.2％」を用いてPcaの悪性度を判定すれば、悪性度の低い症例を選別でき、またそれにより過剰診療を回避することができる可能性が高いことが判った。【０４７７】
一方、図１６(２)から明らかな通り、トータルPSA値とグリーソンスコアの指標の間には、関連性が認められなかった。このことから、トータルPSA値を指標として用いても、Pcaの判定も、Pcaの悪性度の判定も行うことは出来ないことが判る。【０４７８】
実施例１０、比較例６．外国人試料の糖鎖多様性の影響について
PSAの糖鎖は、計19種類の構造が同定され、非常に多様性に富んでいることが明らかとなっている（非特許文献４）。また、糖タンパク質の糖鎖には、人種による多様性があることが報告されている（「遺伝的表現形に基づく胎盤型アルカリ性ホスファターゼ分子の差異について」、佐藤松男、東京女子医科大学雑誌、60(8)、p.609-619、1990）。【０４７９】
そこで、PSAの糖鎖も、患者の背景にある国や地域、人種により多様性があることが予測された。そして、この糖鎖多様性がPSAの測定及びPcaの判定に影響を及ぼすことが懸念された。【０４８０】
そこで、日本人以外のサンプルを用い、α(2, 3)糖鎖遊離型PSA量を指標として判定する公知の判定方法（WO2014/057983：特許文献３）と、本発明の遊離型PSA量に対するα(2, 3)糖鎖遊離型PSA量の比率を指標とした判定方法を実施し、その結果を比較検討した。【０４８１】
（１）試料
カナダSt. Joseph's Healthcare HamiltonのDr. Pinthusラボから提供された、非日本人であって、トータルPSA値が20.0 ng/mL以下である、Pca患者29名及び非癌者（前立腺癌ではないと判定された者。BPH患者を含む）10名から採取した血清を試料として用いた。【０４８２】
試料のPSA値（トータルPSA値）等を下記表５に示す。【０４８３】
【表５】
2017130578.tif 000008
【０４８４】
（２）PSAの分離測定及び比率の決定（実施例１０）
上記（１）の試料を用い、実施例４（１)と同様の方法で泳動用試料Ａを調製した。【０４８５】
次いで、上記で調製した泳動用試料Ａを用いる以外は、実施例１で使用したものと同様の泳動用試液、測定装置等を用い、実施例１と同様の方法で、マイクロチップキャピラリー電気泳動を行った。そして、実施例１と同様の方法で、各試料の、遊離型PSA量に対するα(2, 3)糖鎖遊離型PSA量の比率を求めた。【０４８６】
（３）α(2, 3)糖鎖遊離型PSA量の測定（比較例６）
上記（１）の試料を用い、特許文献３の実施例２に記載の方法と同様の方法を実施して、α(2, 3)糖鎖遊離型PSA量（蛍光強度（MFI））を測定した。【０４８７】
（４）結果
結果を図１８に示す。図１８において、図１８（１）は、遊離型PSA量に対するα(2, 3)糖鎖遊離型PSA量の比率（α(2,3)PSA ratio）を、Pca患者（Pca）と非癌者（non-Pca）間で比較した結果（実施例１０）を示す。図１８（２）は、α(2, 3)糖鎖遊離型PSA量（蛍光強度（MFI））を、Pca患者（Pca）と非癌者（non-Pca）間で比較した結果（比較例６）を示す。【０４８８】
図１８(１)及び(２)において、箱ひげ図の箱の中の横線が各結果の中央値を示すのは常法通りである。【０４８９】
Pca患者と非癌者間の有意差検定（Manwhiteney U-TEST）を行った結果、遊離型PSA量に対するα(2, 3)糖鎖遊離型PSA量の比率をPca患者と非癌者間で比較したP値は「0.0062」であった（実施例１０，図１８（１））。一方α(2, 3)糖鎖遊離型PSA量をPca患者と非癌者間で比較したP値は「0.0818」であった（比較例６，図１８（２））。【０４９０】
図１８（１）より明らかな通り、遊離型PSA量に対するα(2, 3)糖鎖遊離型PSA量の比率の、非癌者の該比率の中央値は40%未満（38%付近）であった。一方、Pca患者の該比率の中央値は40%よりはるかに高値（47%付近）であった。【０４９１】
以上のことから、遊離型PSA量に対するα(2, 3)糖鎖遊離型PSA量の比率＝40%をカットオフ値として用い、この値をもとにPcaの判定を行う本発明の判定方法は、α(2, 3)糖鎖遊離型PSA量をもとに判定を行う公知の方法よりも、精度の高いPcaの判定を行うことができることが判った。また、糖鎖多様性などの懸念材料が生じる事の予想される外国人試料を用いた場合でも、本発明の判定方法を行えば、精度の高いPcaの判定が行えることが判った。【０４９２】
一方、図１８（２）より明らかな通り、α(2, 3)糖鎖遊離型PSA量のカットオフ値「1130」を用いて判定を行った場合、非癌者のα(2, 3)糖鎖遊離型PSA量もPca患者のα(2, 3)糖鎖遊離型PSA量もカットオフ値よりもはるかに高値となり、Pcaの正確な判定が行えないことがわかる。【０４９３】
実施例１１．表面プラズモン共鳴法による判定
マイクロチップ電気泳動とは異なる測定原理として、表面プラズモン共鳴（SPR）技術を利用し、その代表的な測定装置であるBIACORETM（GEバイオ）を用いたS2,3PSA含有比率測定を下記の方法で行った。
（１）測定機器等
測定機器： Biacore X (GE Healthcare UK Ltd.製)
チップ： Sensor Chip CM5 (GE Healthcare UK Ltd.製)
ランニングバッファー： HBS-EP バッファー（10mM HEPES, 0.15M NaCl, 3mM EDTA, 0.005 % Surfactant P 20, pH7.4, GE Healthcare UK Ltd.製）【０４９４】
（２）サンプル溶液
実施例２で精製し、調製したr α(2, 3)糖鎖遊離型PSA又はr α(2, 6)糖鎖遊離型PSAが、それぞれ1000 ng/mL PSAタンパク質濃度となるように調製した。次いで、得られたr α(2, 6)糖鎖遊離型PSA溶液でr α(2, 3)糖鎖遊離型PSA溶液を希釈して、r α(2, 3)糖鎖遊離型PSAを25%, 45%, 又は55%含有するサンプル溶液を得た。このr α(2, 3)糖鎖遊離型PSAの含有率を「理論値」とする。【０４９５】
なお、r α(2, 3)糖鎖遊離型PSA及びr α(2, 6)糖鎖遊離型PSAは、FLAGタグのペプチド配列を持つ。【０４９６】
（３）センサーチップへのLCA固定化
アミンカップリングキット（GE Healthcare UK Ltd.製）を用いて、抗FLAGタグ抗体(ANTI-FLAG M2 Monoclonal Antibody,シグマ社製)をSensor Chip CM5（CMセンサーチップ、GE Healthcare UK Ltd.製）のセンサーチップ上に固定化した。【０４９７】
（４）表面プラズモン共鳴法の実施
以下の測定は、Biacore X (GE Healthcare UK Ltd.製)を用いて行った。【０４９８】
上記(２)で調製したサンプル溶液100μLを、温度20℃、流速10μL/min、結合時間10分間の条件でゆっくりと送液して、抗タグ（FLAG）抗体が固定化されているセンサーチップに流し、上記試料中に任意の比率で各々含まれるα(2, 3) 糖鎖遊離型PSAおよびα(2, 6)糖鎖遊離型PSAと抗FLAGタグ抗体との反応を行った。送液直後から、シグナル（共鳴角のシフト）を経時的に測定した。【０４９９】
次いで、MAAを15mg/mL含有するHBS-EP バッファーを、温度20℃、流速30μL/min、結合時間 2分間の条件でゆっくりと送液して、抗FLAGタグFLAG抗体を介してα(2, 3) 糖鎖遊離型PSAおよびα(2, 6)糖鎖遊離型PSAが任意の比率で固定化されているセンサーチップに流し、センサーチップ上のα(2, 3)糖鎖遊離型PSAが有する標的糖鎖とMAAとの相互作用を検定した。送液直後から、シグナル（共鳴角のシフト）を経時的に測定した。【０５００】
次いでHBS-EPバッファーのみを、180秒間（解離時間）送液した。【０５０１】
得られた測定結果を、ビアコア専用解析ソフトであるBIAevaluation(Version4.1) を用いて解析して、センサーグラムを得た。【０５０２】
（５）結果
得られたセンサーグラムを図１９に示す。【０５０３】
図１９において、横軸は時間（s (秒)）、縦軸は、シグナルの強度（RU, Resonance Unit）を示す。【０５０４】
また、図１９において(１)はα(2, 3)糖鎖遊離型PSAを55%含有する試料を用いて得られた結果を、(２)はα(2, 3)糖鎖遊離型PSAを45%含有する試料を用いて得られた結果を、(３)はα(2, 3)糖鎖遊離型PSAを２５％含有する試料を用いて得られた結果をそれぞれ示す。【０５０５】
図１９より、本発明における非癌に相当する正常範囲（25%）のα(2, 3)糖鎖遊離型PSAを含有する試料を用いて得られたセンサーグラムに対し、本発明の判定方法に係るカットオフ値（40%）を上回る「45％」ならびに「55%」のα(2, 3)糖鎖遊離型PSAを含有する試料を用いて得られたセンサ−グラムでは、有意にレスポンスが高くなった。以上のことから、表面プラズモン共鳴法によっても、本発明のカットオフ値（Pcaの判定のカットオフ値40%、Pcaの悪性度判定のカットオフ値47%）を用いた判定方法が行えることが明らかになった。
【産業上の利用可能性】
【０５０６】
本発明のPcaの判定方法は、非侵襲的且つ簡便にPca及びその悪性度を、高い精度で判定（診断、検査）することが出来る。特に、従来判定が困難であったトータルPSA値がグレーゾーンにある患者において、Pcaであるか又その蓋然性が高いか否かを高い診断精度で、判定することが出来る。【０５０７】
また、本発明のPcaの判定方法は、Pcaの悪性度を判定することができるので、本発明の判定方法により得られた判定結果は、その後のPcaの治療方針を設定する上で重要な指針となる。
【図１】
2017130578.tif 000009
【図２】
2017130578.tif 000010
【図３】
2017130578.tif 000011
【図４】
2017130578.tif 000012
【図５】
2017130578.tif 000013
【図６】
2017130578.tif 000014
【図７】
2017130578.tif 000015
【図８】
2017130578.tif 000016
【図９】
2017130578.tif 000017
【図１０】
2017130578.tif 000018
【図１１】
2017130578.tif 000019
【図１２】
2017130578.tif 000020
【図１３】
2017130578.tif 000021
【図１４】
2017130578.tif 000022
【図１５】
2017130578.tif 000023
【図１６】
2017130578.tif 000024
【図１７】
2017130578.tif 000025
【図１８】
2017130578.tif 000026
【図１９】
2017130578.tif 000027
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
生体由来試料中の遊離型前立腺特異抗原（以下、前立腺特異抗原を「PSA」と記載する。）量、及び糖鎖の末端シアル酸残基が糖鎖の末端から２番目のガラクトース残基にα(2, 3)結合した糖鎖を有する遊離型PSA（以下、「α(2, 3)糖鎖遊離型PSA」と記載する。）量をα(2, 3)糖鎖遊離型PSAの捕捉効率が80%以上の測定方法で測定し、得られた遊離型PSA量に対するα(2, 3)糖鎖遊離型PSA量の比率を決定し、その比率が40％又はそれより高い場合に前立腺癌であるかその蓋然性が高いと判定し、該比率が47％又はそれより高い場合に前立腺癌の悪性度が高い蓋然性が高いと判定する、前立腺癌の判定方法。
【請求項２】
生体由来試料中のトータルPSA値が0を超える値〜50 ng/mLである、請求項１に記載の方法。
【請求項３】
生体由来試料中のトータルPSA値が4〜10ng/mLである、請求項１に記載の方法。
【請求項４】
α(2, 3)糖鎖遊離型PSA量を測定する方法が、α(2, 3)糖鎖遊離型PSAの糖鎖の末端シアル酸残基が糖鎖の末端から２番目のガラクトース残基にα(2, 3)結合した糖鎖と、糖鎖の末端シアル酸残基が糖鎖の末端から２番目のガラクトース残基にα(2, 3)結合した糖鎖に親和性を有する物質（以下、「アフィニティ−物質」と記載する。）との相互作用を利用して測定する方法である、請求項１に記載の方法。
【請求項５】
α(2, 3)糖鎖遊離型PSAの糖鎖の末端シアル酸残基が糖鎖の末端から２番目のガラクトース残基にα(2, 3)結合した糖鎖と、アフィニティ−物質との相互作用を利用して測定する方法が、 α(2, 3)糖鎖遊離型PSAの糖鎖の末端シアル酸残基が糖鎖の末端から２番目のガラクトース残基にα(2, 3)結合した糖鎖と該アフィニティ−物質との相互作用によりα(2, 3)糖鎖遊離型PSAと該アフィニティー物質との複合体を生成させた後、該複合体の量を測定し、その結果に基づいてα(2, 3)糖鎖遊離型PSA量を決定する方法である、請求項４に記載の方法。
【請求項６】
α(2, 3)糖鎖遊離型PSAの糖鎖の末端シアル酸残基が糖鎖の末端から２番目のガラクトース残基にα(2, 3)結合した糖鎖と、アフィニティ−物質との相互作用を利用して測定する方法が、α(2, 3)糖鎖遊離型PSAの糖鎖の末端シアル酸残基が糖鎖の末端から２番目のガラクトース残基にα(2, 3)結合した糖鎖と該アフィニティ−物質との相互作用によりα(2, 3)糖鎖遊離型PSAと該アフィニティー物質との複合体を生成させた後、該複合体以外の成分を系内から除去せずに該複合体の量を測定し、その結果に基づいてα(2, 3)糖鎖遊離型PSA量を決定する方法である、請求項４に記載の方法。
【請求項７】
アフィニティー物質がレクチンである、請求項４に記載の方法。
【請求項８】
レクチンが、糖鎖の末端シアル酸残基が糖鎖の末端から２番目のガラクトース残基にα(2, 3)結合した糖鎖に親和性を有するレクチンである、請求項７に記載の方法。
【請求項９】
レクチンがイヌエンジュレクチン（MAA）である、請求項７に記載の方法。
【請求項１０】
α(2, 3)糖鎖遊離型PSA量を測定する方法が、キャピラリー電気泳動法、ビアコア法、質量分析法、又はレクチンマイクロアレイ法である、請求項１に記載の方法。
【請求項１１】
生体由来試料中の遊離型PSA量、及びα(2, 3)糖鎖遊離型PSA量をα(2, 3)糖鎖遊離型PSAの捕捉効率が80%以上の測定方法で測定し、得られた遊離型PSA量に対するα(2, 3)糖鎖遊離型PSA量の比率を決定し、当該比率が40%又はそれより高いか否か、及び47%又はそれより高いか否かを確認する、前立腺癌の判定のためのデータを得るための方法。
【国際調査報告】
2017130578.tif 000028
2017130578.tif 000029
2017130578.tif 000030
2017130578.tif 000031